(57)【特許請求の範囲】
【請求項１】
進化型ＮｏｄｅＢ（ｅＮＢ）であって、
実行可能命令を格納するメモリと、
前記実行可能命令を実行するよう構成されるプロセッサであり、
第１のＵＥおよび前記第１のＵＥよりチャネル利得が低い第２のＵＥを備える複数のユーザ機器（ＵＥ）の直交多元接続（ＯＭＡ）メトリックおよび非直交多元接続（ＮＯＭＡ）メトリックの評価、
前記ＯＭＡメトリックおよび前記ＮＯＭＡメトリックに基づいて、ＯＭＡ伝送またはＮＯＭＡ伝送を指示するプロトコル命令の生成、および、
前記第１のＵＥに対する第１の変調および符号化方式（ＭＣＳ）ならびに第２のＵＥに対する第２のＭＣＳの判断、
を少なくとも実行する、プロセッサと、
前記プロトコル命令を受信し、それに応答して、前記第１のＵＥと関連付けられた第１のデータ信号および第１のダウンリンク制御情報（ＤＣＩ）メッセージならびに前記第２のＵＥと関連付けられた第２のデータ信号および第２のＤＣＩメッセージを送信するよう構成される送信器回路と、を備え、
前記ＮＯＭＡ伝送を指示する前記プロトコル命令に応答して、前記第１のデータ信号および前記第２のデータ信号が、電力多重化され、前記第１のＤＣＩメッセージおよび前記第２のＤＣＩメッセージが、ＮＯＭＡを介して送信される前記第１のデータ信号および前記第２のデータ信号を指示し、前記第１のＤＣＩメッセージが、前記第２のＭＣＳを指示し、
前記第２のＭＣＳが振幅シフトキーイングまたは振幅変調を含むという判断に応答して、前記第２のデータ信号の電力スケーリング要因が、前記送信器回路が送信するよう構成される前記第２のＤＣＩメッセージまたは無線リソース制御（ＲＲＣ）信号の少なくとも一方を介して指示される、
進化型ＮｏｄｅＢ（ｅＮＢ）。
【請求項２】
進化型ＮｏｄｅＢ（ｅＮＢ）であって、
実行可能命令を格納するメモリと、
前記実行可能命令を実行するよう構成されるプロセッサであり、
第１のＵＥおよび前記第１のＵＥよりチャネル利得が低い第２のＵＥを備える複数のユーザ機器（ＵＥ）の直交多元接続（ＯＭＡ）メトリックおよび非直交多元接続（ＮＯＭＡ）メトリックの評価、
前記ＯＭＡメトリックおよび前記ＮＯＭＡメトリックに基づいて、ＯＭＡ伝送またはＮＯＭＡ伝送を指示するプロトコル命令の生成、および、
前記第１のＵＥに対する第１の変調および符号化方式（ＭＣＳ）ならびに第２のＵＥに対する第２のＭＣＳの判断、
を少なくとも実行する、プロセッサと、
前記プロトコル命令を受信し、それに応答して、前記第１のＵＥと関連付けられた第１のデータ信号および第１のダウンリンク制御情報（ＤＣＩ）メッセージならびに前記第２のＵＥと関連付けられた第２のデータ信号および第２のＤＣＩメッセージを送信するよう構成される送信器回路と、を備え、
前記ＮＯＭＡ伝送を指示する前記プロトコル命令に応答して、前記第１のデータ信号および前記第２のデータ信号が、電力多重化され、前記第１のＤＣＩメッセージおよび前記第２のＤＣＩメッセージが、ＮＯＭＡを介して送信される前記第１のデータ信号および前記第２のデータ信号を指示し、前記第１のＤＣＩメッセージが、前記第２のＭＣＳを指示し、
前記プロセッサが、前記第２のＵＥの受信器型を判断するために実行可能命令を実行するようさらに構成され、
前記第２のＵＥの前記受信器型がチャネル振幅情報を使用するよう構成されるという判断に応答して、前記第２のＤＣＩメッセージが、前記第１のデータ信号の変調次数を指示し、かつ、
前記第２のデータ信号の電力スケーリング要因が、前記送信器回路が送信するよう構成される前記第２のＤＣＩメッセージまたは無線リソース制御（ＲＲＣ）信号の少なくとも一方を介して指示される、
進化型ＮｏｄｅＢ（ｅＮＢ）。
【請求項３】
前記送信器回路が、前記複数のＵＥに送信するよう構成され、
前記プロセッサが、前記実行可能命令を実行し、前記複数のＵＥのそれぞれに対する個別のＯＭＡメトリックおよび前記複数のＵＥにおけるＵＥの１つまたは複数のペアのそれぞれに対するペアワイズＮＯＭＡメトリックを判断するようさらに構成され、
前記ＯＭＡメトリックが、前記個別のＯＭＡメトリックの最良の個別のＯＭＡメトリックであり、かつ、
前記ＮＯＭＡメトリックが、前記ペアワイズＮＯＭＡメトリックの最良のペアワイズＮＯＭＡメトリックである、
請求項１または２に記載のｅＮＢ。
【請求項４】
前記プロセッサが、前記第１のＵＥの干渉除去レベルを判断するために前記実行可能命令を実行するようさらに構成される、請求項１から３のいずれか一項に記載のｅＮＢ。
【請求項５】
前記干渉除去レベルがシンボルレベルであるという判断に応答して、前記第１のデータ信号および前記第２のデータ信号が、物理的リソースブロック（ＰＲＢ）の別個のセットにスケジュールされる、請求項４に記載のｅＮＢ。
【請求項６】
前記干渉除去レベルがコードワードレベルであるという判断に応答して、前記第１のデータ信号および前記第２のデータ信号が、物理的リソースブロック（ＰＲＢ）の共通セットにスケジュールされる、
請求項４に記載のｅＮＢ。
【請求項７】
前記第１のデータ信号のＭＣＳが振幅シフトキーイングまたは振幅変調を含むという判断に応答して、前記第１のＤＣＩメッセージが、前記第１のデータ信号の電力スケーリング要因を指示する、
請求項１または２に記載のｅＮＢ。
【請求項８】
ユーザ機器（ＵＥ）であって、
少なくとも１つのアンテナに結合するよう構成されるアンテナポートであり、前記アンテナポートが、ダウンリンク制御情報（ＤＣＩ）メッセージを備える物理的ダウンリンク制御チャネル（ＰＤＣＣＨ）伝送を受信し、第１のデータ信号および第２のデータ信号を備える物理的ダウンリンク共有チャネル（ＰＤＳＣＨ）伝送を受信するよう構成される、アンテナポートと、
前記アンテナポートに動作可能に結合されるプロセッサであり、第２のデータ信号を取得するために前記第２のデータ信号を復号化して、前記ＤＣＩメッセージに基づいて、前記ＰＤＳＣＨ伝送が、直交多元接続（ＯＭＡ）伝送であるか、非直交多元接続ＮＯＭＡ伝送であるかを判断する、ように構成され、前記ＰＤＳＣＨ伝送が前記ＮＯＭＡ伝送であるという判断に応答して、前記プロセッサは、前記ＤＣＩメッセージが第１の受信プロトコルを示すか、前記第１の受信プロトコルとは異なる第２の受信プロトコルを示すかを判断するよう構成される、プロセッサと、
前記アンテナポートに動作可能に結合され、コードワードレベルまたはシンボルレベルの少なくとも一方に従って干渉除去を使用するよう構成される干渉除去コンポーネントと、を備え、
前記ＤＣＩメッセージが前記第１の受信プロトコルを指示するという判断に応答して、前記干渉除去コンポーネントが、前記第１のデータ信号を取得するために、前記復号化された第２のデータ信号から前記ＰＤＳＣＨ伝送を除去するために前記干渉除去を使用する、よう構成され、かつ、前記プロセッサが、前記第１のデータ信号を、受信データ信号として復号化する、よう構成され、
前記ＤＣＩメッセージが前記第２の受信プロトコルを指示するという判断に応答して、前記プロセッサが、前記復号化された第２のデータ信号を、前記受信データ信号とみなすよう構成される、
ユーザ機器（ＵＥ）。
【請求項９】
前記ＤＣＩメッセージが、前記第２のデータ信号の電力スケーリング要因を指示し、かつ、
前記プロセッサが、前記第２のデータ信号の前記電力スケーリング要因に少なくとも部分的に基づいて、前記第２のデータ信号を復号化する、よう構成される、
請求項８に記載のＵＥ。
【請求項１０】
前記ＤＣＩメッセージが前記第１の受信プロトコルを指示するという前記判断に応答して、前記プロセッサが、前記ＤＣＩメッセージに基づいて、前記第２のデータ信号の変調次数を判断する、よう構成される、
請求項８または９に記載のＵＥ。
【請求項１１】
前記干渉除去コンポーネントが、前記シンボルレベルに従って干渉除去を使用する、よう構成され、かつ、前記ＤＣＩメッセージが、前記第１のデータ信号の第１の変調および符号化方式（ＭＣＳ）ならびに前記第２のデータ信号の第２のＭＣＳを指示する、
請求項８に記載のＵＥ。
【請求項１２】
前記干渉除去コンポーネントが、前記コードワードレベルに従って干渉除去を使用する、よう構成され、かつ、
前記ＤＣＩメッセージが前記第１の受信プロトコルを指示するという前記判断に応答して、前記プロセッサが、前記第２のデータ信号と関連付けられた無線ネットワーク仮識別（ＲＮＴＩ）を判断する、よう構成され、
前記プロセッサが、前記第２のデータ信号と関連付けられた前記ＲＮＴＩに少なくとも部分的に基づいて前記第２のデータ信号を復号化する、よう構成される、
請求項８に記載のＵＥ。
【請求項１３】
前記アンテナポートが、複数のセルＲＮＴＩ（Ｃ−ＲＮＴＩ）を備える無線リソース制御（ＲＲＣ）信号を受信する、ようさらに構成され、
前記プロセッサが、前記複数のＣ−ＲＮＴＩ間から前記第２のデータ信号と関連付けられた前記ＲＮＴＩを判断する、よう構成される、
請求項１２に記載のＵＥ。
【請求項１４】
前記プロセッサが、前記第２のデータ信号と関連付けられたＲＮＴＩを判断するために、前記複数のＣ−ＲＮＴＩの１つまたは複数に従って、前記第２のデータ信号の復号化を試みる、よう構成される、請求項１３に記載のＵＥ。
【請求項１５】
前記プロセッサが、前記ＤＣＩメッセージに基づいて、前記複数のＣ−ＲＮＴＩ間から前記第２のデータ信号と関連付けられた前記ＲＮＴＩを判断する、よう構成される、
請求項１３に記載のＵＥ。
【請求項１６】
前記プロセッサが、前記ＤＣＩメッセージに基づいて、複数のＮＯＭＡ固有ＲＮＴＩ間から前記第２のデータ信号と関連付けられた前記ＲＮＴＩを判断する、よう構成される、
請求項１２に記載のＵＥ。
【請求項１７】
前記ＤＣＩメッセージが前記第１の受信プロトコルを指示するという前記判断に応答して、前記プロセッサが、前記ＮＯＭＡ伝送および前記復号化された第２のデータ信号の除去に基づいて、ＮＯＭＡチャネル品質インジケータ（ＣＱＩ）を判断する、よう構成され、
前記アンテナポートが、前記ＮＯＭＡ  ＣＱＩを送信する、よう構成される、
請求項８に記載のＵＥ。
【請求項１８】
命令を備えるコンピュータプログラムであって、前記命令は、実行された場合、進化的ＮｏｄｅＢ（ｅＮＢ）に、
直交多元接続（ＯＭＡ）プロトコルの投影された第１のデータスループットおよび非直交多元接続（ＮＯＭＡ）プロトコルの投影された第２のデータスループットを判断させ、
前記投影された第１のデータスループットおよび前記投影された第２のデータスループットの間の比較に基づいて、前記ＯＭＡプロトコルまたは前記ＮＯＭＡプロトコルを選択プロトコルとして選択させ、
前記ＮＯＭＡプロトコルの選択に応答して、第１のＵＥに対する第１の電力割当比と、前記第１のＵＥより低い信号対干渉プラスノイズ比（ＳＩＮＲ）を伴う、第２のＵＥに対する、前記第１の電力割当比より大きい、第２の電力割当比を判断させ、
物理的ダウンリンク共有チャネル（ＰＤＳＣＨ）を介して、第１の伝送モードに従って前記第１のＵＥと関連付けられた第１のデータ信号と、第２の伝送モードに従って前記第２のＵＥと関連付けられた第２のデータ信号とを送信させ、
前記ＮＯＭＡプロトコルの選択に応答して、前記第１のデータ信号および前記第２のデータ信号は、前記第１の電力割当比による前記第１のデータ信号および前記第２の電力割当比による前記第２のデータ信号を備えるスーパーインポーズド信号として送信されるものであり、かつ、
前記命令は、実行された場合、進化的ＮｏｄｅＢ（ｅＮＢ）に、さらに、物理的ダウンリンク制御チャネル（ＰＤＣＣＨ）を介して、前記第１のＵＥと関連付けられた第１のＤＣＩメッセージおよび前記第２のＵＥと関連付けられた第２のＤＣＩメッセージを送信させ、
前記第１のＤＣＩメッセージおよび前記第２のＤＣＩメッセージは、前記選択プロトコルを指示するものであり、
送信ダイバーシティを備える前記第１の伝送モードに応答して、前記スーパーインポーズド信号が、連続サブキャリアのペアにわたって送信ダイバーシティを介して送信されるか、または、
空間多重化を備える前記第１の伝送モードに応答して、前記スーパーインポーズド信号が、単一ビームを介して送信される、
コンピュータプログラム。
【請求項１９】
前記第１のＤＣＩメッセージが、前記第２のデータ信号の変調および符号化方式（ＭＣＳ）を指示する、
請求項１８に記載のコンピュータプログラム。
【請求項２０】
前記第２のＤＣＩメッセージが、前記第１のデータ信号の変調および符号化方式（ＭＣＳ）を指示する、
請求項１８または１９に記載のコンピュータプログラム。
【請求項２１】
前記第１のＤＣＩメッセージが、前記第１の電力割当比を指示する、
請求項１８に記載のコンピュータプログラム。
【請求項２２】
前記第２のＤＣＩメッセージが、前記第２の電力割当比を指示する、
請求項１８に記載のコンピュータプログラム。
【請求項２３】
請求項１８から２２のいずれか一項に記載のコンピュータプログラムを記憶した有形のコンピュータで読取り可能な記憶媒体。
【発明の詳細な説明】
【技術分野】
【０００１】
関連出願の相互参照
本ＰＣＴ出願は、２０１４年４月２８日に出願された米国仮特許出願第６１／９８５，３８３号”ＮＯＭＡ  ＦＯＲ  ＦＵＴＵＲＥ  ＷＩＲＥＬＥＳＳ  ＳＹＳＴＥＭＳ”の利益を請求する、２０１５年２月２６日に出願された米国非仮特許出願第１４／６３２，２９１号の利益を請求し、その内容は、参照により、全体が本明細書に組み込まれる。
【０００２】
本開示は、多元接続無線技術に関し、より具体的には、電力多重データ信号（例えば、ダウンリンク）と、電力多重データ信号の復号化を容易にする制御信号を送信することによって、非直交多元接続伝送を可能にすることに関する。
【背景技術】
【０００３】
従来の第３世代（３Ｇ）および第４世代（４Ｇ）無線システムは、多元接続技術として、３Ｇでの符号分割多元接続（ＣＤＭＡ）、４Ｇでの直交周波数分割多元接続（ＯＦＤＭＡ）などの、直交多元接続（ＯＭＡ）を使用する無線接続技術（ＲＡＴ）を使用する。ＯＭＡ技術は、フルパワーだが、例えば、ＯＦＤＭＡの周波数分割、ＣＤＭＡの符号分割、または（例えば、時分割多元接続（ＴＤＭＡ）での）時分割を介する分割帯域幅で、複数のユーザ機器（ＵＥ）への送信を必要とする。しかしながら、モバイルデータトラフィックは、モバイルデータトラフィックの需要を満たすようＯＭＡ技術の能力を上回って、今後１０年間で指数関数的に増加すると予想される。
【図面の簡単な説明】
【０００４】
【図１】本発明で説明するさまざまな態様による、複数のユーザ機器（ＵＥ）によるＮＯＭＡ通信を容易にするシステムのブロック図である。
【図２】本発明で説明するさまざまな態様による、進化型ＮｏｄｅＢ（ｅＮｏｄｅＢまたはｅＮＢ）によるＮＯＭＡ通信を容易にするシステムのブロック図である。
【図３】本発明で説明するさまざまな態様による、複数のＵＥによるＮＯＭＡ通信を容易にする方法のフローダイアグラムである。
【図４】本発明で説明するさまざまな態様による、ｅＮｏｄｅＢによるＮＯＭＡ通信を容易にする方法のフローダイアグラムである。
【図５】本発明で説明するさまざまな態様による、ＵＥ１の伝送ランク１および２に対するＵＥ２のＳＮＲの関数としての、ＵＥ１に対する電力割当比のグラフである。
【図６】本発明で説明するさまざまな態様による、さまざまな変調次数に対するさまざまな種類のＭＩＭＯ受信器を伴う第２のユーザ機器（ＵＥ２）に対する例示的制御シグナリングの表である。
【図７Ａ】本発明で説明するさまざまな態様による、ＵＥ１に対するＮＯＭＡ情報のための、例示的な数のビットを示す表である。
【図７Ｂ】本発明で説明するさまざまな態様による、ｅＮＢが２つのアンテナポートで構成される場合の、ＵＥ１に対するＮＯＭＡ情報フィールドの例示的内容を示す表である。
【図８】本発明で説明するさまざまな態様による、４つのアンテナポートに対するプレコーディング情報内容の例示的シグナリングを示す表である。
【図９】本発明で説明するさまざまな態様による、２つのアンテナポートに対するプレコーディング情報内容の例示的シグナリングを示す表である。
【図１０Ａ】本発明で説明するさまざまな態様による、４つのアンテナポートに対するプレコーディング情報内容の例示的シグナリングを示す表の第１部分を示す図である。
【図１０Ｂ】本発明で説明するさまざまな態様による、４つのアンテナポートに対するプレコーディング情報内容の例示的シグナリングを示す表の第２部分を示す図である。
【図１１】本発明で説明するさまざまな態様による、ＵＥ１に対するコードワード２の変調次数の例示的シグナリングの表である。
【図１２】本発明で説明するさまざまな態様による、差動ＮＯＭＡチャネル品質インジケータの例示的符号化の表である。
【図１３】本明細書で説明するさまざまな態様と関連して使用可能な、例示的ユーザ機器を示すブロック図である。
【発明を実施するための形態】
【０００５】
本開示は、添付図面を参照して説明し、同一の参照番号は、全体を通じて同一の要素に関して使用され、図示した構造およびデバイスは、必ずしも一定の縮尺で描かれていない。本明細書で使用する場合、「コンポーネント」、「システム」、および「インターフェース」などの用語は、コンピュータ関連要素、ハードウェア、（例えば、実行の際の）ソフトウェア、および／またはファームウェアに関することを意図する。例えば、コンポーネントは、プロセッサ（例えば、マイクロプロセッサ、コントローラ、または他の処理デバイス）、プロセッサで実行する処理、コントローラ、オブジェクト、実行可能、プログラム、ストレージデバイス、コンピュータ、タブレットＰＣ、および／または処理デバイスを伴うユーザ機器（例えば、携帯電話など）とすることができる。例として、サーバで実行するアプリケーションおよびサーバもまた、コンポーネントとすることができる。１つまたは複数のコンポーネントが、処理内に存在する可能性があり、コンポーネントを、１つのコンピュータにローカライズすることができ、および／または２つ以上のコンピュータの間で分散することができる。要素のセットまたは他のコンポーネントセットについて、本明細書で説明することができ、ここで、「セット」という用語は、「１つまたは複数」と解釈することができる。
【０００６】
さらに、これらのコンポーネントは、例えば、モジュールなどの、さまざまなデータ構造を格納した、さまざまなコンピュータ読取り可能ストレージ媒体から実行することができる。コンポーネントは、１つまたは複数のデータパケット（例えば、ローカルシステム、分散システムにおける、および／またはインターネット、ローカルエリアネットワーク、ワイドエリアネットワーク、または信号を介する他のシステムを伴う同様のネットワークなどのネットワークにわたって、別のコンポーネントと相互通信する１つのコンポーネントからのデータ）を有する信号などにより、ローカルおよび／またはリモート処理を介して通信することができる。
【０００７】
別の例として、コンポーネントは、電気または電子回路によって動作する機械部分によってもたらされる特定の機能を伴う装置とすることができ、電気または電子回路は、１つまたは複数のプロセッサによって実行されるソフトウェアアプリケーションまたはファームウェアアプリケーションによって動作させることができる。１つまたは複数のプロセッサは、装置の内部に配置することができ、または外部に配置することができ、ソフトウェアまたはファームウェアアプリケーションの少なくとも一部を実行することができる。さらに別の例として、コンポーネントは、機械的な部分のない電子部品を介して特定の機能を提供する装置とすることができ、電子部品は、その電子部品の機能を、少なくとも部分的に参照するソフトウェアおよび／またはファームウェアを実行するための１つまたは複数のプロセッサを含むことができる。
【０００８】
例示的な語の使用は、概念を具体的に提示することを意図する。本明細書で使用する場合、「または（もしくは）」という用語は、排他的な「または（もしくは）」ではなく、包括的な「または（もしくは）」を意味することを意図する。すなわち、明示しない限り、または文脈から明らかではない限り、「ＸがＡまたはＢを使用する」とは、自然な包含的置換（ｎａｔｕｒａｌ  ｉｎｃｌｕｓｉｖｅ  ｐｅｒｍｕｔａｔｉｏｎ）のいずれかを意味するものとする。すなわち、ＸがＡを使用する場合、ＸがＢを使用する場合、またはＸがＡとＢの両方を使用する場合、「ＸがＡまたはＢを使用する」は、上記の例のいずれかで満たされる。さらに、本明細書および添付の特許請求の範囲で使用するような冠詞”ａ”および”ａｎ”は、一般に、単数形を対象とすると文脈で指定されるか、または明示されない限り、「１つまたは複数」を意味すると解釈されるべきである。さらに、用語“ｉｎｃｌｕｄｉｎｇ”、“ｉｎｃｌｕｄｅｓ”、“ｈａｖｉｎｇ”、“ｈａｓ”、“ｗｉｔｈ”またはその変形が、詳細な説明および特許請求の範囲のいずれかにおいて使用される範囲内では、そのような用語は、用語“ｃｏｍｐｒｉｓｉｎｇ”と同様に包括的であることが意図される。
【０００９】
直交多元接続（ＯＭＡ）システムとは対照的に、非直交多元接続（ＮＯＭＡ）システムでは、複数のユーザが、同じ周波数および時間リソースを共有する。代わりに、ユーザ機器（ＵＥ）の分割は、送信器側でのスマート電力割当、およびＮＯＭＡシステムにおける受信器での高度処理を介して達成することができる。システムレベル結果のシミュレーションにより、ＮＯＭＡが、従来のＯＭＡシステムにわたり−３０％スループット利得をもたらすことができることが示されている。
【００１０】
図１を参照すると、本発明で説明するさまざまな態様による、複数のユーザ機器（ＵＥ）によるＮＯＭＡ通信を容易にするシステム１００のブロック図が示される。システム１００は、メモリ１１０、プロセッサ１２０、および送信器回路１３０を含むことができる。さまざまな態様において、システム１００は、進化型ユニバーサル地上無線接続ネットワーク（Ｅ−ＵＴＲＡＮ）ＮｏｄｅＢ（進化型ＮｏｄｅＢ、ｅＮｏｄｅＢ、またはｅＮＢ）内に含むことができる。
【００１１】
メモリ１１０は、システム１００によって使用されるデータ、実行可能命令、および／または他の情報を格納することができる。
【００１２】
プロセッサ１２０は、（例えば、メモリ１１０によって格納される実行可能命令を実行することによって）複数のＵＥの直交多元接続（ＯＭＡ）メトリックおよびＮＯＭＡメトリックを評価することができる。ＯＭＡメトリックおよびＮＯＭＡメトリックは、それぞれ、各モード（ＯＭＡ伝送およびＮＯＭＡ伝送）において複数のＵＥと関連付けられた予期されるデータスループットの目安とすることができる。一例において、ＯＭＡメトリックとＮＯＭＡメトリックの両方は、プロポーショナル・フェアネス・メトリック、または予期されるスループットの関数である他の何らかのメトリックに基づくことができる。態様において、個別ＯＭＡメトリックについて、ＯＭＡ伝送を仮定する複数のＵＥのそれぞれに対して判断することができ、ＯＭＡメトリックは、個別ＯＭＡメトリックの最良個別ＯＭＡメトリック（例えば、最高など）とすることができる。さらなる態様において、プロセッサ１２０は、複数のＵＥをペアにグループ化し、ＮＯＭＡ伝送を仮定する各ペアに対するペアワイズＮＯＭＡメトリック（例えば、ペアにおける各ＵＥに対する個別ＮＯＭＡメトリックの合計としてのペアワイズＮＯＭＡメトリック）を判断するよう構成され、ＮＯＭＡメトリックは、ペアワイズＮＯＭＡメトリックの最良のペアワイズＮＯＭＡメトリック（例えば、最高など）である。ＵＥは、全ての可能なペアリングを考えること、またはペアリングのサブセットのみを考えることなどによって、さまざまな方式でペアにグループ化することができる。ペアＵＥが異なるチャネル利得を有する場合にＮＯＭＡ伝送が最も効率的である場合、ＵＥは、（例えば、信号対プラスノイズ非（ＳＩＮＲ）などに基づいて判断されるような）ペアのＵＥの間の異なるチャネル利得に基づいて、ペアにグループ化することができ、ペアワイズＮＯＭＡメトリックは、それらのグループ化ペアに対してのみ判断することができる。可能なＮＯＭＡ伝送に対するＵＥの各ペアにおいて、より高いチャネル利得（例えば、高ＳＩＮＲなど）を伴うＵＥを、第１のＵＥ（または、ＵＥ１）と本明細書で称し、一方、より低いチャネル利得（例えば、低ＳＩＮＲなど）を伴うＵＥを、第２のＵＥ（または、ＵＥ２）と本明細書では称する。ＵＥは、継続的に（例えば、全てのサブフレームに対してなど）、または断続的に（例えば、変更条件（例えば、受信ＳＩＮＲ）に基づく、さまざまな時間間隔で、など）、ペアにグループ化することができ、チャネル状態（例えば、ＳＩＮＲを介して推定されるような複数のＵＥのチャネル利得など）に基づくことができ、本明細書で説明するように第１のＵＥおよび第２のＵＥの指定を変更することができる（例えば、第１のＵＥが第２のＵＥになることができ、または異なる第２のＵＥとペアになることができるなど）。
【００１３】
評価されたＯＭＡメトリックおよびＮＯＭＡメトリックに基づいて、プロセッサ１２０は、ＯＭＡ伝送またはＮＯＭＡ伝送を指示するプロトコル命令を生成することができる（例えば、さまざまな態様における各サブフレームに対して行うことができ、または頻度は少ないが、例えば、ＯＭＡ伝送またはＮＯＭＡ伝送の以前のものが、指示されるまで継続される）。例えば、ＮＯＭＡメトリックが優れたスループットを示す場合、ＮＯＭＡ伝送を指示することができ、ＯＭＡメトリックが優れたスループットを示す場合、ＯＭＡ伝送を指示することができる。本明細書で説明するような、情報を示す他の命令および信号と同様に、プロトコル命令は、明示的に（例えば、ＯＭＡ伝送またはＮＯＭＡ伝送を指定する１つまたは複数のビット、シンボルなどのインジケータを含むことによって）、または暗黙的に、ＯＭＡ伝送またはＮＯＭＡ伝送を指示することができる。例えば、暗黙的な指示は、情報を包含するか、または省略することによって、包含または省略に基づいて、ＯＭＡ伝送またはＮＯＭＡ伝送を、例えば、ＮＯＭＡ伝送に対する追加情報を包含する（または、省略する）ことによって、プロトコル命令に基づいて判断することができ、ＮＯＭＡ伝送は、追加情報の包含から判断することができ（または、ＯＭＡ伝送は、追加情報の省略から判断することができ）、逆も同様であるように、指示することができる。
【００１４】
プロセッサ１２０はまた、第１および第２のＵＥの、または第１および第２のデータ信号の、特性を判断し、判断した特性に基づいて、第１および／または第２の制御信号を変更または生成することができる。例えば、第１および／または第２の制御信号は、関連付けられたＵＥが、チャネル振幅情報を必要とするマルチ入力マルチ出力（ＭＩＭＯ）受信器を使用する場合、または関連付けられたデータ信号の変調および符号化方式（ＭＣＳ）が４より高い変調次数を有する（横軸位相偏移変調（ＱＰＳＫ））場合、電力割当比を指示することができる。別の例において、第１のＵＥによって使用される干渉除去の種類（例えば、シンボルレベル、コードワードレベル）は、以下でより詳細に説明するように、第１のデータ信号の内容に大幅に影響を及ぼすことができる。
【００１５】
送信器回路１３０は、少なくとも１つのアンテナに結合するよう構成される。送信器回路１３０は、ＯＭＡ伝送またはＮＯＭＡ伝送を指示するプロトコル命令を受信し、第１のＵＥ（ＵＥ１）と関連付けられた第１のデータ信号および第１の制御信号と、第２のＵＥ（ＵＥ２）と関連付けられた第２のデータ信号および第２の制御信号とを、ＯＭＡまたはＮＯＭＡのいずれかで送信するが、本明細書で説明するように、伝送の内容および／または方式は、ＯＭＡとＮＯＭＡの間で変更してもよい。ロング・ターム・エボリューション（ＬＴＥ）実施形態では、第１のデータ信号および第２のデータ信号は、物理的ダウンリンク共有チャネル（ＰＤＳＣＨ）を介して送信することができ、第１の制御信号および第２の制御信号は、物理的ダウンリンク制御チャネル（ＰＤＣＣＨ）を介してダウンリンク制御情報（ＤＣＩ）として送信することができる。通常は、送信器回路１３０は、データ信号および制御信号を、それぞれが第１のＵＥと第２のＵＥを備えるＵＥのペアであるＵＥの１つまたは複数のペアに送信することができるが、本動作は、実質的に、各ペアに対して同様であり、したがって、説明を簡単にするために、ＵＥ（第１のＵＥおよび第２のＵＥ）の単一ペアのみについて説明する。本明細書で使用される場合、第１のＵＥ（ＵＥ１）は、第２のＵＥ（ＵＥ２）より高い（例えば、より高い報告されたＳＩＮＲを介して推定されるような）チャネル利得を有する。ペアではないＵＥの場合、ＮＯＭＡ動作に対して、ペアではないＵＥは、第２のＵＥとみなすことができ、第２のデータ信号が、第１のデータ信号と電力多重化されることなく第２のＵＥに送信され、これは、ＮＯＭＡ動作において、本明細書でより詳細に説明するように、第２のＵＥが、第１のデータ信号を、第２のデータ信号を復号化（ｄｅｃｏｄｅ）する際にノイズとして扱うためであって、したがって、第２のＵＥは、第１のデータ信号がない場合でも、第２のデータ信号を復号化することができる。
【００１６】
ＯＭＡ動作を指示するプロトコル命令に応答して、送信器回路１３０は、第１のデータ信号と、第１の制御信号と、第２のデータ信号と、第２の制御信号とを、本実施形態に応じて、任意のＯＭＡ  ＲＡＴを介して、従来技術を介して、送信することができる。
【００１７】
ＮＯＭＡ動作を指示するプロトコル命令に応答して、送信器回路１３０は、本明細書でさらに詳細に説明するように、第１および第２のデータ信号を、ＮＯＭＡを介して電力多元化することができる（例えば、第１のデータ信号が、送信電力スケーリング要因ｐ１を有し、第２のデータ信号が、送信電力スケーリング要因ｐ２を有し、ここで、ｐ１＋ｐ２＝１およびｐ１＜ｐ２（第２のＵＥのチャネル利得がより低いため、第２のデータ信号が、より高い送信電力を割り当てられる）である）。さらに、ＮＯＭＡ動作を指示するプロトコル命令に応答して、第１の制御信号および第２の制御信号が、（明示的に（例えば、第１および第２のデータ信号がＮＯＭＡを介して送信されたことを特定するインジケータ（例えば、ビットなど）を含むことによって）、または暗黙的に（例えば、受信ＵＥ（例えば、ＵＥ１またはＵＥ２）が、包含または省略から、第１および第２のデータ信号がＮＯＭＡを介して送信されたことを判断することができるように情報を包含または省略することによって））第１および第２のデータ信号がＮＯＭＡを介して送信されることを指示する。さまざまな態様において、送信器回路１３０は、ＯＭＡ伝送またはＮＯＭＡ伝送のいずれかと関連して、受信ＵＥが、送信ダイバーシティ、空間多重化などに対して構成される多くのさまざまな伝送モードのいずれかを使用することができる。
【００１８】
第１の制御信号および第２の制御信号は、本明細書でより詳細に説明するように、それぞれ、第１のＵＥおよび第２のＵＥが第１のデータ信号および第２のデータ信号を復号化するために、（例えば、明示的または暗示的指示を介して）充分な情報を含むことができる。
【００１９】
第２のＵＥの場合、プロセッサ１２０は、（例えば、第２のＵＥのＳＩＮＲ、第２のＵＥの（例えば、第２のＵＥの受信器の）特性、または本明細書で説明するもの（例えば、ＭＣＳ制限など）の他の要因の１つまたは複数に少なくとも部分的に基づいて）第２のデータ信号に対する変調および符号化方式（ＭＣＳ）を判断することができる。振幅変調または振幅シフトキーイング（例えば、１６ＱＡＭ、６４ＱＡＭ、２５６ＱＡＭなど）を含む第２のデータ信号に対するＭＣＳに応答して、第２の制御信号は、第２のデータ信号の電力スケーリング要因を（例えば、本明細書で説明した全ての指示と同様に、明示的または暗示的に）指示することができる。加えて、プロセッサ１２０は第２のＵＥの受信器型（例えば、最大確度（ＭＬ）または最小平均二乗誤差（ＭＭＳＥ））を判断することができる。第２のＵＥの受信器型が最大確度受信器型であるという判断に応答して、第２の制御信号は、第２のデータ信号の電力スケーリング要因と、第１のデータ信号の変調次数（または、ＭＣＳ）を指示することができる。
【００２０】
第１のＵＥの場合、プロセッサ１２０は、第１のＵＥによって使用される干渉除去（ＩＣ）レベル（例えば、コードワードレベルＩＣ、シンボルレベルＩＣなど）を判断することができる。第１のＵＥの判断されたＩＣレベルに応じて、第１の制御信号は、さまざまな情報を指示することができ、第１および第２のデータ信号の特性は、伝送を容易にするために使用することができる。
【００２１】
例えば、第１のＵＥが、干渉除去レベルとしてシンボルレベルＩＣを使用する場合、第１の制御信号は、（例えば、プロセッサ１２０によって判断されるような）第２のデータ信号の変調次数を指示することができる。
【００２２】
第１のＵＥが、干渉除去レベルとしてコードワードレベルＩＣを使用する場合、第１のデータ信号および第２のデータ信号は、リソースの共通セット（例えば、物理的リソースブロックの共通セット）にスケジュールすることができる。さらに、コードワードレベルＩＣの場合、プロセッサ１２０は、第２のデータ信号のＭＣＳを判断することができ、第１の制御信号は、第２のデータ信号のＭＣＳを指示することができる。プロセッサ１２０はまた、第１のデータ信号のＭＣＳを判断することができ、第１のデータ信号のＭＣＳが振幅変調または振幅シフトキーイング（例えば、４より高い変調次数（横軸位相偏移変調（ＱＰＳＫ）））を含む場合、第１の制御信号は、第１のデータ信号の電力スケーリング要因を指示することができる。第１のＵＥがコードワードレベルＩＣを使用する場合、プロセッサ１２０は、第２のデータ信号のＭＣＳを判断することができ、第１の制御信号は、第２のデータ信号のＭＣＳを指示することができる。さまざまな実施形態において、コードワードレベルＩＣの場合、プロセッサ１２０は、第２のＵＥの識別子を判断することができ、第１の制御信号は、第２のＵＥの識別子を指示することができる。第１の制御信号が第２のＵＥの識別子を指示する実施形態において、このことは、第１のＵＥに格納された複数の所定の識別子のうちの所定の識別子を介するなどして、本明細書で説明するようなさまざまな方法で（例えば、第１のＵＥに格納されたｎ個の識別子の、第２のＵＥが第２の識別子を有することを指示することなどによって）行うことができる。
【００２３】
図２を参照すると、本発明で説明するさまざまな態様による、進化型ＮｏｄｅＢ（ｅＮｏｄｅＢまたはｅＮＢ）によるＮＯＭＡ通信を容易にするシステム２００のブロック図が示される。システム２００は、アンテナポート２１０、プロセッサ２２０、および干渉除去コンポーネント２３０を含む。さまざまな態様において、システム２００は、ユーザ機器（ＵＥ）内に含むことができ、例えば、ＵＥの受信器回路またはトランシーバ回路内にシステム２００（または、その一部）を伴う。一実施形態によるＵＥのさらなる詳細は、図１３で提供し、以下でより詳細に説明する。
【００２４】
アンテナポート２１０は、少なくとも１つのアンテナに結合するよう構成され、アンテナポート２１０は、制御信号と、第１のデータ信号および第２のデータ信号を含むデータ伝送を受信することができる。通常は、アンテナポート２１０は、複数の制御信号（例えば、本明細書で説明するような第１の制御信号および第２の制御信号、ならびに追加の電位制御信号）を受信するが、それらの制御信号のただ１つだけ（「制御信号」と称する）が、システム２００に対する制御シグナリングを含む。
【００２５】
プロセッサ２２０は、制御信号に基づいて、データ伝送がＯＭＡ伝送か、ＮＯＭＡ伝送かを判断することができる。プロセッサ２２０が、データ伝送はＮＯＭＡ伝送であると判断した場合、プロセッサ２２０は、制御信号が第１の受信プロトコル（例えば、システム２００を備えるＵＥが第１のＵＥである）を指示するか、第２の受信プロトコル（例えば、システム２００を備えるＵＥが第２のＵＥである）を指示するかをさらに判断する。さらに、データ伝送がＮＯＭＡ伝送である場合、プロセッサ２２０は、制御信号が第１の受信プロトコルを指示するか、第２の受信プロトコルを指示するかに関わらず、第２のデータ信号を復号化する。
【００２６】
制御信号が第２の受信プロトコルを指示する場合、プロセッサ２２０は、復号化された第２のデータ信号を、システム２００と関連付けられた受信データ信号とみなすことができる。第２の受信プロトコルの下で、干渉除去コンポーネント２３０は、使用する必要がない。それに応じて、本明細書で説明するさまざまな態様において、ＮＯＭＡ通信は、第１のＵＥのみが干渉除去コンポーネント２３０を含むＵＥのペアに送信することができ、可能であれば、チャネル条件をもたらす（例えば、第１のＵＥが、第２のデータ信号を復号化し、第２のデータ信号を除去し、第１のデータ信号を復号化するのに充分なチャネル利得を有する）。
【００２７】
制御信号が第１の受信プロトコルを指示する場合、干渉除去コンポーネント２３０は、伝送から復号化された第２のデータ信号を除去し、第１のデータ信号を取得し、プロセッサ２２０は、システム２００と関連付けられた受信データ信号として、第１のデータ信号を復号化する。
【００２８】
本明細書で説明するように、制御信号は、システム２００が第２のデータ信号を復号化し、第１の受信プロトコルの下で、第１のデータ信号を復号化するために充分な情報を（例えば、明示的または暗示的に）指示する。例えば、第２のデータ信号の変調次数またはＭＣＳに応じて（例えば、１６ＱＡＭ以上である場合など）、制御信号は、第２のデータ信号の電力スケーリング要因を指示することができる。本明細書で説明するさまざまな態様において、制御信号は、第２の受信プロトコルまたは第１の受信プロトコルの下で、第２のデータ信号の変調次数またはＭＣＳを指示することができる。
【００２９】
加えて、干渉除去コンポーネント２３０は、コードワードレベル干渉除去またはシンボルレベル干渉除去（ＩＣ）を使用することができる。ＩＣコンポーネント２３０のＩＣレベルに応じて、制御信号は、第１の受信プロトコルの下で、異なる情報を指示することができる。例えば、コードワードレベルＩＣを使用する場合、制御信号は、第２のデータ信号と関連付けられたデバイス識別子を指示することができる。あるいは、プロセッサ２２０は、複数のデバイス識別子のそれぞれ（例えば、３または４など）に従って、第２のデータ信号を復号化するよう試みて、第２のデータ信号が、巡回冗長検査（ＣＲＣ）をパスしたことに基づいて、復号化されたと判断することができる。
【００３０】
さらに、受信プロトコルに応じて、システム２００は、さまざまな情報を送信することができる。例えば、第１の受信プロトコルの下で、プロセッサ２２０は、ＮＯＭＡ伝送および復号化された第２のデータ信号の除去に基づいて、ＮＯＭＡチャネル品質インジケータ（ＣＱＩ）を判断することができ、アンテナポート２１０は、ＮＯＭＡ  ＣＱＩを、ｅＮＢに送信することができる。
【００３１】
図３を参照すると、本発明で説明するさまざまな態様による、複数のＵＥによるＮＯＭＡ通信を促進する方法３００のフローダイアグラムが示される。さまざまな態様において、方法３００は、ｅＮｏｄｅＢ、例えば、図１で示したようなシステムを介して、実施することができる。方法３００は、３１０で、ＯＭＡメトリックとＮＯＭＡメトリックとを評価するステップを含むことができ、ＯＭＡメトリックとＮＯＭＡメトリックの両方が、複数のＵＥと関連付けられる。メトリックは、本明細書で説明するような、ＯＭＡ通信およびＮＯＭＡ通信における潜在的データスループットを判断するための性能メトリックなどとすることができる。３２０で、ＯＭＡメトリックおよびＮＯＭＡメトリックに基づいて、方法３００は、ＯＭＡ伝送またはＮＯＭＡ伝送を指示するプロトコル命令を生成するステップを含むことができる。３３０で、方法３００は、プロトコル命令に基づいて、複数のＵＥの第１のＵＥと関連付けられた第１のデータ信号および第１の制御信号と、複数のＵＥの第２のＵＥと関連付けられた第２のデータ信号および第２の制御信号とを送信するステップを含み、第２のＵＥは、第１のＵＥより、チャネル利得が低い。動作（ａｃｔ）３３０は、第１および第２のデータ信号および第１および第２の制御信号の伝送の内容および／または方式が変更可能であるように、第１および第２のデータ信号がＯＭＡまたはＮＯＭＡを介して送信されたかに応じて、方法３００の動作３４０から３７０を含むことができる。
【００３２】
３４０で示すように、送信信号は、プロトコル命令が、ＯＭＡ伝送またはＮＯＭＡ伝送のいずれを示したかに依存することができる。プロトコル命令がＮＯＭＡ伝送を指示する場合、３５０で、第１のデータ信号および第２のデータ信号は、ＮＯＭＡを介して電力多重化される。３６０で、第１の制御信号および第２の制御信号は、第１のデータ信号および第２のデータ信号が、ＮＯＭＡを介して送信されたことを示す。さらに、第１の制御信号および第２の制御信号は、第１のデータ信号および第２のデータ信号のＮＯＭＡ伝送を復号化するのに充分な情報を含む。プロトコル命令がＮＯＭＡ伝送を示す場合、第１の制御信号および／または第２の制御信号を介して示すことができる情報について、本明細書で説明する。例えば、第２のＵＥのＭＣＳまたは受信器型に応じて、第２の制御信号は、第２のデータ信号の電力スケーリング要因を示すことができる。第１の制御信号は、第１のデータ信号の電力スケーリング要因を示すことができ、ならびに／もしくは第２のデータ信号のＭＣＳおよび／または第２のＵＥの識別子を示すことができる。示すことができる追加情報およびそのような情報を示す具体的な方法について、本明細書で説明する。
【００３３】
他方で、プロトコル命令がＯＭＡ伝送を示す場合、３７０で、第１および第２のデータ信号は、（さまざまなＲＡＴのいずれに従って）ＯＭＡを介して送信され、ＯＭＡ伝送は、第１の制御信号および第２の制御信号を介して、示すことができる。
【００３４】
図４を参照すると、本発明で説明するさまざまな態様による、ｅＮｏｄｅＢによるＮＯＭＡ通信を容易にする方法４００のフローダイアグラムが示される。さまざまな態様において、方法４００は、ＵＥを介して、例えば、ＵＥの受信器回路またはトランシーバ回路を介して、実施することができる。方法４００は、４１０で、制御信号と、第１のデータ信号および第２のデータ信号を含むデータ伝送とを受信するステップを含むことができる。４２０で、データ伝送がＯＭＡ伝送であるか、ＮＯＭＡ伝送であるかは、制御信号に基づいて判断することができる。データ伝送がＯＭＡ伝送である場合、４３０で、第１のデータ信号または第２のデータ信号の受信データ信号は、制御信号に基づいて復号化される。
【００３５】
伝送がＮＯＭＡ伝送である場合、第１および第２のデータ信号は、電力多重化され、第１のデータ信号は、低送信（および受信）電力を有する。伝送がＮＯＭＡ伝送である場合、４４０で、方法４００と関連付けられるか、または方法４００を実施するＵＥが、第１のＵＥか、第２のＵＥかに関わらず、第２の（高電力）データ信号が復号化される。４５０で、制御信号が、第１の受信プロトコル（第１のＵＥの場合であり、高チャネル利得を有する）を示すか、それとも第２の受信プロトコル（第２のＵＥの場合であり、低チャネル利得を有する）を示すかを判断する。
【００３６】
制御信号が第１の受信プロトコルを示す場合、４６０で、方法４００を実施するＵＥは第１のＵＥであり、復号化された第２のデータ信号が、第１のデータ信号を取得するためにデータ伝送から除去され、４７０で、第１のデータ信号が、受信データ信号として復号化される。制御信号が第２の受信プロトコルを示す場合、４６０で、方法４００を実施するＵＥは、第２のＵＥであり、復号化された第２のデータ信号が、受信データ信号とみなされる。
【００３７】
以下は、現在のロング・ターム・エボリューション・アドバンスト（ＬＴＥ−Ａ）仕様の拡張としての、本明細書で説明する態様の可能な実装態様の例示的詳細である。具体的な詳細を提供するが、これらは単に、本明細書で説明する原理を説明するためのものであり、本開示の範囲を限定するためのものではない。ある種の情報をどのように報知することができるかに関して具体例を提供するが、この情報は、さまざまな方法で報知することができ、そのようなさまざまな方法は、本開示の範囲内であることが意図される。
【００３８】
例示的システムモデル
ダウンリンクＮＯＭＡシステムの一例は、１つのｅＮＢが、同じ周波数および時間リソースを使用して、２つのＵＥに対して機能すると仮定して、説明することができる（説明を簡単にするために、２つのみのＵＥを考慮し、他のＵＥは、同様の方法でペア化し、同時に機能させることができる）。ｅＮＢには、Ｎｔ送信アンテナ（例えば、本例では１つまたは２つが設けられるが、さまざまな実施形態では、より多くを使用することができる）が取り付けられ、各ＵＥには、Ｎｒ受信アンテナが取り付けられる。両方のＵＥの変調符号が、送信前に、電力スケーリング後に、まとめられる。このことは、数式（１）を使用して説明される。
【数１】
0006441377.tif 000002
ここで、ｙｉは、ユーザｉのＮｒ×１受信信号ベクトルであり、Ｈｉは、ＵＥｉのＮｒ×Ｎｔチャネルマトリックスであり、ｐｉは、ユーザｉに対する送信電力スケーリング要因であり、［Ｐ１、Ｐ２］／√２は、ＵＥ１に対するプレコーダマトリックスであって、ＵＥ１がランク１伝送を有する場合にＰ１に減らされ、Ｐ１は、ＵＥ２に対するプレコーダマトリックスであり、ｘｉは、ＵＥｉのためのコードワードのデータシンボルであり、ｘは、両方のＵＥのスーパーインポーズド・データ・シンボルであり、ｎｉは、Ｎｒ×１ノイズベクトルであり、Ｎｒは、受信アンテナの数であり、Ｎｔは、送信アンテナの数である。
【００３９】
送信電力割当は、数式（２）の制約を受ける。
【数２】
0006441377.tif 000003
【００４０】
｜（Ｈ１Ｐ１）Ｈ（Ｈ１Ｐ１）｜／ｒ＞｜（Ｈ２Ｐ１）Ｈ（Ｈ２Ｐ１）｜であると仮定され、ここで、ｒがＵＥ１の伝送ランクである場合、ｐ１＜ｐ２である。
【００４１】
受信器側で、各ＵＥは、まず、線形受信器、例えば、数式（３）を使用する最大比合成（ＭＲＣ）受信器を使用してスーパーインポーズド・データ・シンボルを推定することができる。
【数３】
0006441377.tif 000004
【００４２】
スーパーインポーズド・データ・シンボルを推定すると、両方のＵＥが、まず、ＵＥ２のコードワードを復号化することができる。ＵＥ２のコードワードが良好に復号化された場合、ＵＥ２は、さらなる復号化を実行する必要がない。ＵＥ１は、第２のデータシンボル＾ｘ２＝＾Ｈｉｘ２を再構築して、スーパーインポーズド・データ・シンボル＾ｘからそれを取り除き、ＵＥ１のためのデータシンボルｘ１を推定する。シンボルｘ１に関連したコードワードの推定データシンボルは、数式（４）として記述することができる。
【数４】
0006441377.tif 000005
ここで、σは、干渉除去要因であり、σ∈［０，１］である。σが１である場合、ＵＥ２のコードワードは、完全に打ち消される。
【００４３】
電力割当
大きなＳＩＮＲ差分を伴うＵＥを、ＮＯＭＡ利得を最大にするためにペアにすることができ、電力制御アルゴリズムにより、低チャネル利得のＵＥに対する高伝送電力を設定し、逆もまた真である。ＮＯＭＡ利得は、論理解析を介して定量化することができる。
ｐ１＊（すなわち、ＵＥ１の電力レベル）を取得する１つの可能な方法は、数式（５）を解くことである。
【数５】
0006441377.tif 000006
ここで、γ２は、ＵＥ２の信号対雑音比（ＳＮＲ）である。
【００４４】
数式（５）が満たされた場合、ＵＥ２のチャネル容量は、ＵＥ２が、システム帯域幅の半分を割り当てられ、フル伝送電力で機能する、ＯＭＡ伝送のチャネル容量と同じである。したがって、数式（５）に対する解ｐ１＊が、ＮＯＭＡおよびＯＭＡの間の容量比較を簡単にする。その場合、ＯＭＡを超えるＮＯＭＡのチャネル容量利得は、ＵＥ１のチャネル容量に依存する。このことは、数式（６）を使用して記述することができる。
【数６】
0006441377.tif 000007
ここで、γ１は、ＵＥ１のＳＮＲであり、ＣＮＯＭＡは、ＮＯＭＡのチャネル容量であり、ＣＯＭＡは、ＯＭＡのチャネル容量である。ｒ＝１と仮定して、数式（５）を満たす電力割当方針が、以下の式で与えられる。
【数７】
0006441377.tif 000008
【００４５】
図５は、本発明で説明するさまざまな態様による、ＵＥ１の伝送ランク１および２に対するＵＥ２のＳＮＲの関数としての、ＵＥ１に対する電力割当比のグラフを示す。
【００４６】
数式（６）によれば、ＯＭＡを超えるＮＯＭＡのチャネル容量利得は、ＵＥ１の電力割当比が数式（８）を満たす場合に達成される。
【数８】
0006441377.tif 000009
【００４７】
γ１＞γ２という仮定から、図５に示すように、ｐ１＊は数式（８）を満たす。
【００４８】
スケジューリング
マルチユーザマルチ入力マルチ出力（ＭＵ−ＭＩＭＯ）と同様に、ＯＭＡとＮＯＭＡとの間の動的スイッチングにより、全体的なシステム容量の低減が避けられる。ＯＭＡとＮＯＭＡとの間の動的スイッチングは、ＯＭＡと仮定した場合のデータスループットと、ＮＯＭＡが選択されたと仮定した場合のデータスループットとを比較することなどによって、性能メトリックに基づくことができる。メトリックは、態様において、パフォーマンスタイムを低減するために、ｅＮＢと通信する全てのＵＥに基づいて、メトリックを比較するために使用することができるが、メトリックは、ＯＭＡまたはＮＯＭＡで最良または最悪の性能を有するｎ（例えば、１、２）個のＵＥなどの、ＵＥのサブセットのみに基づくことができる。使用するメトリックは、瞬時チャネル条件またはデータレートおよび／または平均スループットの関数とすることができる。一具体例において、ＯＭＡメトリックおよびＮＯＭＡメトリックの両方が、プロポーショナルフェア型（ＰＦ）メトリックに基づくことができる。ＮＯＭＡ仮定をテストする場合、ＵＥのＮＯＭＡペアにおけるＰＦメトリックの合計が、ＮＯＭＡペアに対するＰＦメトリックとして使用される。最良ＮＯＭＡペアのＰＦメトリックが、最良単一ＵＥ伝送のＰＦメトリックより高い場合、ＮＯＭＡ伝送を使用する。そうでなければ、単一ＵＥ（ＯＭＡ）伝送を使用する。
【００４９】
受信器の種類およびスケジューリングへの影響
異なる干渉除去コンポーネントが、ＵＥでのＮＯＭＡ復号化のために受信器で使用することができる。異なる種類の干渉除去（ＩＣ）に対して、使用するシグナリングの詳細が異なる可能性があり、スケジューリングもまた、影響を受ける可能性がある。
【００５０】
コードワードレベルＩＣの場合、ＮＯＭＡペアが同じリソース（すなわち、物理的リソースブロック（ＰＲＢ）の同じセット）にスケジューリングされる場合、干渉信号のＰＤＳＣＨ属性を記述するレイヤ１シグナリングが、ＰＤＳＣＨをＵＥ１に送信する場合に低減することができる。しかしながら、ＵＥ１への追加シグナリングを、ＵＥ１がコードワードレベルＩＣを使用し、ＵＥ２と同じリソースにスケジュールされない態様において、干渉信号のＰＤＳＣＨ属性を記述するために含むことができる。
【００５１】
シンボルレベルＩＣの場合、物理的ダウンリンク共有チャネル（ＰＤＳＣＨ）を介してデータ信号をＵＥに送信する場合に、同じ変調次数および電力比が、２つのＵＥに対して使用されるが、異なるＵＥを、異なるＰＲＢでペア化することができる。
【００５２】
ＮＯＭＡ復号化のためのＵＥ２に対するシグナリング
ＵＥ２の場合には、制御シグナリングは、変調次数がＱＰＳＫの変調次数より高い場合、ＵＥ２が最小平均標準誤差（ＭＭＳＥ）型受信器などのＭＩＭＯ受信器を使用する場合、電力スケーリング要因ｐ２を含むことができる。さらに、制御シグナリングは、ＵＥ２が、チャネル振幅情報を必要とする、ＭＭＳＥ−ＩＲＣ（干渉抑圧合成）型受信器などのＭＩＭＯ受信器を使用する場合、全ての変調に対する電力スケーリング要因ｐ２を含むことができる。図６は、本明細書で説明するさまざまな態様による、さまざまな変調次数（横軸位相偏移変調（ＱＰＳＫ）および直交振幅変調（ＱＡＭ）のさまざまな次数）に対する、さまざまな種類のＭＩＭＯ受信器（最小平均標準誤差（ＭＭＳＥ）および最大確度（ＭＬ））を有するＵＥ２に対する例示的制御シグナリングの表を示す。ＵＥ２は、追加干渉としてＵＥ１からのスーパーインポーズド信号を扱うことができ、したがって、ＵＥ２の復号化は、最小追加シグナリングでアシストすることができる。
【００５３】
セル固有参照記号（ＣＲＳ）ベース伝送モードの場合、ＬＴＥ仕様のリリース１２（ＬＴＥ  Ｒｅｌ−１２）まで、ＰＤＳＣＨ対ＣＲＳのリソース要素単位のエネルギ（ＥＰＲＥ）比が、ＵＥ固有無線リソース制御（ＲＲＣ）パラメータＰＡおよびセル固有ＲＲＣパラメータＰＢによって構成される。現在、以下のように、８つの値がＰＡに対して定義されている（第３世代パートナーシップ・プロジェクト（３ＧＰＰ）技術仕様３６．３３１ｖｂ．０．０より）。
ＰＤＳＣＨ−ＣｏｎｆｉｇＤｅｄｉｃａｔｅｄ：：＝ＳＥＱＵＥＮＣＥ｛
ｐ−ａ    ＥＮＵＭＥＲＡＴＥＤ｛
ｄＢ−６，ｄＢ−４ｄｏｔ７７，ｄＢ−３，ｄＢ−１ｄｏｔ７７，
ｄＢ０、ｄＢ１、ｄＢ２、ｄＢ３｝
｝
【００５４】
ｐ２∈（０．５，１）であるので、ｐ−ａがｐ２を示すために使われた場合、−１．７７ｄＢ（０．６６５３）とだけなる可能性があり、不充分である可能性がある。したがって、追加ＲＲＣシグナリングを使用して、別々のＵＥ固有パラメータとしてｐ２を示すことができる。
【００５５】
いくつかのオプションが、ｐ２指示のために存在する。第１の例において、いくつか列挙するｐ２値を（例えば、ＲＲＣ仕様で）定義することができ、それらの値の１つを準統計的に選択することができる。例えば、
ｐ−ｔｗｏ    ＥＮＵＭＥＲＡＴＥＤ｛ｄＢ−２ｄｏｔ５，ｄＢ−２，ｄＢ−１ｄｏｔ５，ｄＢ−１｝
および、１ビットが、ダウンリンク制御情報（ＤＣＩ）において、ＮＯＭＡ伝送とＯＭＡ伝送との間を切り替えるために導入することができる。
【００５６】
第２の例において、ｐ２に対していくつかの値を定義することができ、どの値を使用するかは、ＤＣＩにおいて指示することができる。例えば、２ビットが、ＤＣＩにおいて、０ｄＢを含むｐ２に対する４つの値の内１つを選択するために導入することができる。０ｄＢが示された場合、ＯＭＡ伝送を示す。
【００５７】
定義されたＬＴＥ伝送モードのＵＥ固有参照記号（ＵＥＲＳ）ベース伝送モード７、８、９、または１０がＵＥ２に対して構成された場合、ｐ２はまた、上記の例でのように示すことができる。
【００５８】
ｐ２がＵＥ２に対して構成された場合、ＰＤＳＣＨ対ＲＳ  ＥＰＲＥ比は、ｐ２（ｄＢ）に、既存のＰＤＳＣＨ対ＲＳ  ＥＰＲＥ比を加えることによって変更される。したがって、ＵＥ２は、１つのスーパーインポーズドＰＤＳＣＨが存在し、そのＰＤＳＣＨ対ＲＳ  ＥＰＲＥ比が、既存のＰＤＳＣＨ対ＲＳ  ＥＰＲＥ比に、１０ｌｏｇ１０（１−１０ｐ２／１０）（ｄＢ）を加えることによって変化することによって変更されると仮定することができる。
【００５９】
ＮＯＭＡ伝送が指示された場合、さまざまな態様において、ＵＥ２の伝送は、自由度が低下している可能性があり、これは、ＵＥ２が、比較的悪いチャネル利得を有し、ｅＮＢが、フル伝送電力で機能できないためである。適用することができる例示的限界は、例えば、ＱＰＳＫおよび１６ＱＡＭのみをサポートする、および／またはランク１伝送のみをサポートする、減少変調および符号化方式（ＭＣＳ）を含む。
【００６０】
伝送自由度の減少は、ＤＣＩシグナリングにおける何らかの冗長さにより引き起こされる可能性があり、そのシグナリングは、ＤＣＩの信頼性を高めるために仮想巡回冗長検査（ＣＲＣ）状態と考えることができるか、またはＵＥ１の部分的変調情報を示すために使用することができる。例えば、ＭＣＳ制限がＵＥ２に適用された場合、ＵＥ２は、ＭＣＳ０から１５を示すのに４ビットのみでよい可能性がある。そのような例において、最も有用なビットは、ＵＥ１のＭＣＳを示すために使用することができ、例えば、１６ＱＡＭまたは６４ＱＡＭである。ランク１のみがＵＥ２に対するＮＯＭＡ伝送のために許可される場合、他の搬送ブロックのＭＣＳ／ＲＶ（冗長バージョン）／ＮＤＩ（新規データインジケータ）を使用して、ＵＥ２の伝送モード依存ＤＣＩが、２つのコードワード指示をサポートするＤＣＩ２ｘである場合、ＵＥ１の伝送ＭＣＳおよびランクのより詳細な情報を説明することができる。
【００６１】
コードワードレベルＩＣに対するＮＯＭＡ復号化のためのＵＥ１に対するシグナリング
ＵＥ１の場合には、コードワード１の変調次数がＱＰＳＫのものより高い場合に必要とされる電力スケーリング要因ｐ１の他に、ＵＥ２のコードワード２およびセル無線ネットワーク仮識別（Ｃ−ＲＮＴＩ）を記述するために、他のシグナリングも必要とされる。
【００６２】
ＮＯＭＡは、空間多重化および送信ダイバーシティを含む、ＬＴＥ仕様で定義される既存の伝送方式に適用することができる。
【００６３】
ＮＯＭＡを送信ダイバーシティ、例えば、伝送モード（ＴＭ）２またはＴＭ３のランク１に適用する場合、スーパーインポーズド信号は、２つの連続サブキャリアのペアにわたって送信ダイバーシティを使用して送信することができる。
【００６４】
ＮＯＭＡを空間多重化、例えば、ＴＭ４またはＴＭ８、９、もしくは１０に適用する場合、スーパーインポーズド信号は、１つのビーム（ＴＭ４での１つの送信プレコーディング・マトリックス・インジケータ（ＰＭＩ）、またはＴＭ８、９、または１０での１つのＵＥＲＳポート）を使用して送信することができる。
【００６５】
Ｒｅｌ−８以来ＬＴＥでは、ＵＥ１が伝送モード１／２／７で構成される場合、ＤＣＩフォーマット１を使用して、単一搬送ブロック伝送を指示する。ＮＯＭＡ伝送においてコードワードＩＣ受信器を伴うＵＥ１をサポートするために、最も単純な方法は、ＵＥ１に対してＤＣＩ  ２Ｘを使用することであり、２つの搬送ブロック伝送を指示することができる。例えば、ＤＣＩ  ２Ａを、ＴＭ１または２およびＮＯＭＡ符号化で構成されるＵＥに対して使用した場合、搬送ブロック（ＴＢ）１に対するＭＣＳ／ＮＤＩ／ＲＶは、常に、ＵＥ１自体のＴＢに対するものとすることができ、搬送ブロック２に対するＭＣＳ／ＮＤＩ／ＲＶは、常に、ＵＥ２のＴＢに対するものとすることができる。そのような状況では、ＤＣＩ  ２Ａにおける情報をプレコーディングするためのビットの数は、ＵＥがＴＭ２で構成され、ｅＮＢが４ＣＲＳポートで構成される場合でも、必要ない。
【００６６】
ＵＥ１がＴＭ３およびＮＯＭＡ伝送で構成される場合、ｅＮＢが、本明細書で説明するさまざまな態様に従ってＵＥ１に対するＮＯＭＡ情報のためのビットの例示的な数を示す表を示す、図７Ａに示すように、およびｅＮＢが、本明細書で説明するさまざまな態様に従って２つのアンテナポートで構成される場合にＵＥ１に対するＮＯＭＡ情報フィールドの例示的内容を示す表を示す、図７Ｂに示すように、２つのＣＲＳポートで構成される場合に、１ビットのＮＯＭＡプレコーディング情報を、ＤＣＩ  ２Ａに導入することができる。さらに、４つのＣＲＳポートに対するプレコーディング情報フィールドにおけるビットフィールドパターン”３”が再利用され、（本明細書で説明するさまざまな態様に従って４つのアンテナポートに対するプレコーディング情報内容の例示的シグナリングを示す）図８に示すように、点線領域内に示した追加または変更定義で、３ＧＰＰ技術仕様３６．２１３ｖｂ２０ａｔ５．３．３．１．５Ａ−２の変形例として、ＮＯＭＡ伝送を指示することができる。
【００６７】
ＵＥ１がＴＭ３およびＮＯＭＡ伝送で構成される場合、ｅＮＢが、点線領域内に示した追加または変更定義で、３ＧＰＰ技術仕様３６．２１３ｖｂ２０ａｔ５．３．３．１．５−４の変形例として、（本明細書で説明するさまざまな態様に従って２つのアンテナポートに対するプレコーディング情報内容の例示的シグナリングを示す）図９に示すような２つのアンテナポートで構成される場合に、ＤＣＩ２のプレコーディング情報フィールドにおける予約ビットフィールドパターンのいくつかを使用して、ＮＯＭＡ伝送を描写することができ、ここで、ＰＭＩは、プレコーディングマトリックスインジケータであり、ＰＵＳＣＨは、物理的アップリンク共有チャネルである。ｅＮＢが４つのアンテナポートで構成される場合、点線領域内に示した追加または変更定義で、３ＧＰＰ技術仕様３６．２１３ｖｂ２０ａｔ５．３．３．１．５−５の変形例として、（本明細書で説明するさまざまな態様に従って４つのアンテナポートに対するプレコーディング情報内容の例示的シグナリングを示す表を示す）図１０Ａおよび図１０Ｂで示すように、同様の定義を使用することができ、ここで、ＴＰＭＩは、伝送ＰＭＩである。
【００６８】
ＮＯＭＡ伝送を伴うＴＭ４に対する上記定義は、ＮＯＭＡ伝送を伴うＴＭ６を定義することに拡張することができ、これは、ＴＭ６が、単一レイヤ閉ループＭＩＭＯ（ＴＭ４の特別なケース）であって、ＮＯＭＡ伝送を伴うためであり、ＤＣＩ  １ＢがＴＭ４に対して使用されず、ＤＣＩ  ２Ｘが、ＮＯＭＡ伝送を伴うＴＭ６に対して使用されるためである。その挙動は、ＮＯＭＡ伝送を伴うＴＭ４のものとよく似ている。同様に、本明細書で説明する態様は、ＮＯＭＡを伴うＴＭ５（ＭＵ−ＭＩＭＯ）に容易に拡張することができる。
【００６９】
ＵＥがＴＭ８、９、または１０で構成される場合、ＵＥ固有ＲＳが、ＰＤＳＣＨ復調のために使用される。ＴＭ８、９、および１０は、通常、多くのアンテナを伴うビーム形成をサポートするために使用される。したがって、ＮＯＭＡ機能を伴うＵＥ固有ＲＳベースＴＭを拡張するためのモチベーションは、ＣＲＳポートベースＴＭのものより低い。しかしながら、ＴＭ８、９、および１０は、１ビットＮＯＭＡ機能ビットを導入することによって、ＮＯＭＡ機能で拡張することができる。
【００７０】
ＮＯＭＡ機能ビットが”０”であり、両方の搬送ブロックが可能である場合、レイヤの数は２であり、搬送ブロック１が、コードワード０にマッピングされ、搬送ブロック２が、コードワード１にマッピングされる。アンテナポート７および８が、空間多重化のために使用される。
【００７１】
ＮＯＭＡ機能ビットが”１”であり両方の搬送ブロックが可能である場合、１人のユーザのための伝送レイヤの数は１であり、搬送ブロック１が、コードワード０にマッピングされ、ＵＥ２の搬送ブロックが、搬送ブロック２のＭＣＳ／ＮＤＩ／ＲＶを使用して記述される。アンテナポート７は、復調のために使用される。ＰＤＳＣＨ対ＵＥ固有ＲＳ  ＥＰＲＥ比は、搬送ブロック１に対してｐ１であり、ＵＥ２の搬送ブロックに対して１−ｐ１である。
【００７２】
ＴＭ８、９、および１０のＮＯＭＡ拡張では、最大４つのＮＯＭＡペアの空間多重化がサポートされ、各ＮＯＭＡペアは、２人のＮＯＭＡユーザ（例えば、ＵＥ１およびＵＥ２）から成る。
【００７３】
コードワードレベルＩＣを使用するＵＥ１のためのＵＥ１  ＮＯＭＡ符号化に対するＵＥ２のＣ−ＲＮＴＩのためのシグナリング
ＵＥ１がＮＯＭＡ符号化のためにコードワードレベルＩＣを使用する場合、ＵＥ１は、ＵＥ２のＣ−ＲＮＴＩと関連するシグナリングを送信され、コードワード２の符号化が正しいかどうかをチェックする。ＮＯＭＡペア決定が固定される必要がなく、時と共に動的にスケジューラによって変更することができるので、ＵＥ１に送信されるＤＣＩにおけるＵＥ２のフル１６ビットＣ−ＲＮＴＩを含むことは、理想的ではない可能性がある。代わりに、いくつかの代替手法の１つを使用することができる。
【００７４】
第１の代替手法では、ＲＲＣを使用して、ＵＥ２（例えば、３から４）などとペアリングするために、複数の潜在的なＣ−ＲＮＴＩでＵＥ１を構成することができ、ＵＥ１は、コードワード２を復号化する場合、ＵＥ２に対する潜在的なＣ−ＲＮＴＩのいずれかをテストする。ＣＲＣが、ＲＲＣを介して構成されたＵＥ２に対するＣ−ＲＮＴＩのいずれかを使用して逆スクランブル後にパスすることができた場合、ＵＥ１は、コードワード２を良好に復号化したと推定することができる。
【００７５】
第２の代替手法では、ＲＲＣを使用して、ＵＥ２（例えば、３から４）などとペアリングするために、複数の潜在的なＣ−ＲＮＴＩでＵＥ１を構成することができ、充分なビット（例えば、３または４の潜在的Ｃ−ＲＮＴＩに対して２）をＤＣＩに追加して、どのペアリングＣ−ＲＮＴＩがＵＥ２のＣ−ＲＮＴＩとして実際に使用されるかを示すことができる。その場合、ＵＥ１は、ＤＣＩにおける指示されたＣ−ＲＮＴＩを使用して逆スクランブルして、コードワード２のＣＲＣがパスできるかどうかをチェックすることができる。
【００７６】
第３の代替手法では、専用ＲＲＣシグナリングを使用して、潜在的ＮＯＭＡペアリングＣ−ＲＮＴＩ（例えば、１６、３２などのＣ−ＲＮＴＩ）のセットでＵＥ１を構成することができる。セットサイズは、必要とされるスケジューリング制限のための性能劣化を避けるために、および／またはセットを更新するために頻繁にＲＲＣシグナリングをする必要を避けるために、充分大きい。新規ビット（例えば、４または５ビット、または構成されたＣ−ＲＮＴＩの数を適切に与える数）を、潜在的Ｃ−ＲＮＴＩの構成されたセットのどのＣ−ＲＮＴＩがＵＥ２に対応するかを示すために、ＤＣＩにおいて定義することができる。
【００７７】
第４の代替手法では、ＮＯＭＡ−ＲＮＴＩと呼ばれる、新規ＲＮＴＩを定義する。ＮＯＭＡが適用される場合、ＵＥ２のＰＤＳＣＨは、ＮＯＭＡ−ＲＮＴＩを使用してスクランブルをかけられ、その結果、ＵＥ１は、ＵＥ２のＰＤＳＣＨのスクランブリングコードを把握することができる。ＮＯＭＡが適用されない場合、ＵＥ２のＰＤＳＣＨは、ＵＥ２のオリジナルＣ−ＲＮＴＩを使用してスクランブルをかけられる。この手法の変形では、複数の新規ＮＯＭＡ−ＲＮＴＩ（例えば、最大４、８など）が定義することができ、新規ＮＯＭＡ−ＲＮＴＩを使用して、ＵＥ２のＰＤＳＣＨにスクランブルをかける。ＮＯＭＡが適用される場合、ｅＮＢは、新規ＮＯＭＡ−ＲＮＴＩの１つを選択し、ＵＥ１およびＵＥ２の両方に（ＤＣＩで）その選択した新規ＮＯＭＡ−ＲＮＴＩを明確に報知する。
【００７８】
第５の代替手法では、ＮＯＭＡ−ＲＮＴＩのセル固有セット（例えば、４、８など）が、システム情報の一部として報知される。隣接セル間で調整することによって、隣接セルがＮＯＭＡ−ＲＮＴＩの異なるセットを使用することができる。これにより、セルごとに少数のＮＯＭＡ−ＲＮＴＩを伴うセル間干渉ランダム化を達成することができる。ＵＥ１とＵＥ２との両方が、ＤＣＩにおける適切な数（例えば、２、３など）の指示ビットを介して、セットからのどのＮＯＭＡ−ＲＮＴＩが動的に使用されたかについて通知される。
【００７９】
シンボルレベルＩＣを使用するＵＥ１のためのＵＥ１  ＮＯＭＡ符号化のためのシグナリング
コードワードレベルＩＣとは異なり、シンボルレベルＩＣを使用するＵＥ１は、スーパーインポーズド受信信号への寄与をキャンセルするために、コードワード２のＭＣＳ／ＮＤＩ／ＲＶを把握する必要がない。シンボルレベルＩＣを使用するＵＥ１の場合には、コードワード２の８ビットであるＭＣＳ／ＮＤＩ／ＲＶは、２ビットに低減され、本明細書で説明するさまざまな態様に従ってＵＥ１に対するコードワード２の変調次数の例示的シグナリングの表を示す、図１１に示すように、スーパーインポーズドコードワード２の変調を記述することができる。
【００８０】
チャネル状態情報（ＣＳＩ）フィードバック拡張
ＮＯＭＡでの最適な電力割当およびユーザペアリングは、ｅＮＢが、ノイズプラスセル間干渉電力により正規化された各ＵＥの有効チャネル電力を把握している場合に、提供することができる。この情報は、従来のチャネル品質インジケータ（ＣＱＩ）計算およびフィードバックによって、ｅＮＢに暗黙的に提供することができる。ＮＯＭＡ同一チャネル干渉を考慮しないが、チャネルおよびセル間干渉プラスノイズ測定を介して取得される、従来のＣＱＩは、各ＵＥに対する有効ＳＮＲにデマッピングされ、マルチユーザスケジューリングおよび電力割当のために使用することができる。
【００８１】
第２に、各ＵＥの信号対干渉およびノイズ比（ＳＩＮＲ）について、実際のＭＣＳ選択のために考慮することができる。ＮＯＭＡペアの１つにおいて、ＵＥ２は、ＵＥ１から、干渉を受信する。ＵＥ２の達成可能スループットでのＵＥ１からＵＥ２への干渉による影響が、重要ではない可能性があり、干渉電力は、最適な電力割当を介する所望の信号電力よりもずっと小さい可能性がある。しかしながら、ＵＥ２からＵＥ１への干渉は、干渉が、ＵＥ１によって、どれだけ良好にキャンセルすることができるかに依存する。干渉除去後の残留干渉によるＣＱＩミスマッチは、外側ループリンク適合アルゴリズムなどの技術を容易に使用して、ｅＮＢによって完全に補償することができない可能性がある。外側ループは、通常、収束するのに時間がかかるため、ＵＥ１が、レポートされたＣＱＩにおけるＵＥ２からの干渉を補償しないと、短期リンク適合停止を避けることができない。このことは、外側ループがまだ収束していない場合に、小パケットに対して有害であろう。
【００８２】
リンク適合におけるＵＥ２からＵＥ１への残留干渉を考慮するために、ＵＥ１は、ＮＯＭＡ伝送および干渉除去を仮定するＣＱＩをさらにレポートすることができる。ＵＥ２の所与の仮想変調次数および電力割当比により、残留干渉を推定することができ、ＣＱＩは、干渉除去後に有効なＳＩＮＲに基づいて計算することができる。
【００８３】
本明細書で説明する態様は、ＮＯＭＡ伝送を組み込むため、現在の無線技術および／または規格の変形例を提供することができる。例えば、ＬＴＥ−Ａ仕様および規格は、本明細書で説明する態様を組み込むために修正することができる。ＮＯＭＡ  ＣＱＩの場合には、ＣＱＩ定義は、以下のように、セクション７．２．３で、表７．２．３−１を通じて、３ＧＰＰ技術使用３６．２１３ｖｂ３０の例示的変形例として、変更することができる。
【００８４】
ＣＳＩ基準リソースでは、ＵＥは、ＣＱＩインデックス、ならびに、構成するなら、ＰＭＩおよびＲＩを導出するために以下を仮定する。
●第１の３ＯＦＤＭシンボルが、制御シグナリングによって占められること
●何らのリソース要素も、一次もしくは二次同期信号またはＰＢＣＨまたはＥＰＤＣＣＨによって使用されないこと
●非ＭＢＳＦＮサブフレームのＣＰ長
●冗長さバーション０
●ＣＳＩ−ＲＳがチャネル測定のために使用された場合、ＰＤＳＣＨ  ＥＰＲＥ対ＣＳＩ−ＲＳ  ＥＰＲＥの比は、セクション７．２．５で与えられること
●伝送モード９ＣＳＩレポートのために
○ＣＲＳ  ＲＥは、非ＭＢＳＦＮサブフレームと同様であること
○ＵＥがＰＭＩ／ＲＩレポーティングのために構成される場合、ＵＥ固有基準信号オーバヘッドは、２つ以上のＣＳＩ−ＲＳポートが構成される場合に最近レポートされたランクと均一であり、ただ１つのＣＳＩ−ＲＳポートが構成される場合にランク１伝送と均一であり、νレイヤに対するアンテナポート｛７．．．６＋ν｝でのＰＤＳＣＨ信号は、
【数９】
0006441377.tif 000010
により得られるように、アンテナポート｛１５．．．１４＋Ｐ｝で送信される対応シンボルと同一の信号をもたらし、ここで、
【数１０】
0006441377.tif 000011
は、［３］のセクション６．３．３．２におけるレイヤマッピングからのシンボルのベクトルであり、Ｐ∈｛１，２，４，８｝は、構成されたＣＳＩ−ＲＳポートの数であり、ただ１つのＣＳＩ−ＲＳポートのみが構成された場合、Ｗ（ｉ）は１であり、そうでなければ、Ｗ（ｉ）は、ｘ（ｉ）に適用可能なレポートされたＰＭＩに対応するプレコーディングマトリックスである。アンテナポート｛１５．．．１４＋Ｐ｝で送信された、対応するＰＤＳＣＨ信号は、セクション７．２．５で与えられた比に等しいＥＰＲＥ対ＣＳＩ−ＲＳ  ＥＰＲＥの比を有すること
●伝送モード１０ＣＳＩレポーティングについて、ＣＳＩ処理がＰＭＩ／ＲＩレポーティング無しで構成される場合、
○関連付けられたＣＳＩ−ＲＳリソースのアンテナポートの数が１つの場合、ＰＤＳＣＨ伝送は、単一アンテナポート、ポート７である。アンテナポート｛７｝でのチャネルは、関連付けられたＣＳＩ−ＲＳリソースのアンテナポート｛１５｝でのチャネルから推測されること
■ＣＲＳ  ＲＥは、非ＭＢＳＦＮサブフレームと同様であり、ＣＲＳオーバヘッドは、サービングセルのＣＲＳアンテナポートの数に対応するＣＲＳオーバヘッドと同じであると仮定すること
■ＵＥ固有基準信号オーバヘッドは、ＰＲＢペアごとに１２ＲＥであること
○そうでなければ、
■関連付けられたＣＳＩ−ＲＳリソースのアンテナポートの数が２である場合、ＰＤＳＣＨ伝送方式は、アンテナポート｛０，１｝でのチャネルが、それぞれ、関連付けられたＣＳＩリソースのアンテナポート｛１５，１６｝でのチャネルから推測されることを除いて、アンテナポート｛０，１｝についてセクション７．１．２で定義される送信ダイバーシティ方式を仮定すること
■関連付けられたＣＳＩ−ＲＳリソースのアンテナポートの数が４である場合、ＰＤＳＣＨ伝送方式は、アンテナポート｛０，１，２，３｝でのチャネルが、それぞれ、関連付けられたＣＳＩ−ＲＳリソースのアンテナポート｛１５，１６，１７，１８｝でのチャネルから推測されることを除いて、アンテナポート｛０，１，２，３｝についてセクション７．１．２で定義される送信ダイバーシティ方式を仮定すること
■ＵＥは、ＰＭＩ／ＲＩレポーティング無しで構成されるＣＳＩ処理と関連付けられたＣＳＩ−ＲＳリソースに対する４つより多くのアンテナポートで構成されることを予期されないこと
■ＣＲＳ  ＲＥのオーバヘッドは、関連付けられたＣＳＩ−ＲＳリソースのオーバヘッドとアンテナポートの数が同じであると仮定されること
■ＵＥ固有基準信号オーバヘッドは、ゼロであること
●伝送モード１０ＣＳＩレポーティングについて、ＣＳＩ処理がＰＭＩ／ＲＩレポーティングで構成される場合、
○ＣＲＳ  ＲＥは、非ＭＢＳＦＮサブフレームと同様である。ＣＲＳオーバヘッドは、サービングセルのＣＲＳアンテナポートの数に対応するＣＲＳオーバヘッドと同じであると仮定すること
○ＵＥ固有基準信号オーバヘッドは、２つ以上のＣＳＩ−ＲＳポートが構成される場合にＣＳＩ処理に対して最近レポートされたランクと均一であり、ただ１つのＣＳＩ−ＲＳポートが構成される場合にランク１伝送と均一であり、νレイヤに対するアンテナポート｛７．．．６＋ν｝でのＰＤＳＣＨ信号は、
【数１１】
0006441377.tif 000012
により得られるように、アンテナポート｛１５．．．１４＋Ｐ｝で送信される対応シンボルと同一の信号をもたらし、ここで、
【数１２】
0006441377.tif 000013
は、［３］のセクション６．３．３．２におけるレイヤマッピングからのシンボルのベクトルであり、Ｐ∈｛１，２，４，８｝は、関連付けられたＣＳＩ−ＲＳリソースのアンテナポートの数であり、Ｐ＝１であれば、Ｗ（ｉ）は１であり、そうでなければ、Ｗ（ｉ）は、ｘ（ｉ）に適用可能なレポートされたＰＭＩに対応するプレコーディングマトリックスである。アンテナポート｛１５．．．１４＋Ｐ｝で送信された、対応するＰＤＳＣＨ信号は、セクション７．２．５で与えられた比に等しいＥＰＲＥ対ＣＳＩ−ＲＳ  ＥＰＲＥの比を有すること
●何らのＲＥも、ＣＳＩ−ＲＳおよびゼロ電力ＣＳＩ−ＲＳに対して割り当てられないと仮定すること
●何らのＲＥも、ＰＲＳに対して割り当てられないと仮定すること
●表７．２．３−０によって与えられるＰＤＳＣＨ伝送方式は、ＵＥに対して現在構成される伝送モード（デフォルトモードである可能性がある）に依存していること
●ＣＲＳがチャネル測定のために使用される場合、ＰＤＳＣＨ  ＥＰＲＥ対セル固有ＲＳ  ＥＰＲＥの比は、以下のように仮定されるｐＡの例外を伴い、セクション５．２で与えられること
○ＵＥが、４つのセル固有アンテナポートを伴う伝送モード２か、または４つのセル固有アンテナポートを伴う伝送モード３で構成されて、関連付けられたＲＩが１である場合、任意の変調方式に対して、ρＡ＝ＰＡ＋Δｏｆｆｓｅｔ＋１０ｌｏｇ１０（２）［ｄＢ］であること
○そうでなければ、任意の変調方式および任意の数のレイヤに対して、ρＡ＝ＰＡ＋Δｏｆｆｓｅｔ［ｄＢ］であること
シフトΔｏｆｆｓｅｔが、高レイヤシグナリングによって構成されるパラメータｎｏｍＰＤＳＣＨ−ＲＳ−ＥＰＲＥ−Ｏｆｆｓｅｔによって与えられること
●レポートされたＣＱＩが、ＰＤＳＣＨ伝送が２つのスーパーインポーズド・データ・シンボルを含むと仮定する場合、ＵＥは、ＣＱＩインデックスを導出するために、以下を仮定すること
○ＰＤＳＣＨ  ＥＰＲＥ対ＲＳ  ＥＰＲＥの比を、スーパーインポーズドＰＤＳＣＨシンボルに適用すること
○信号ＰＤＳＣＨ  ＥＰＲＥ対スーパーインポーズドＰＤＳＣＨ  ＥＰＲＥの比が、α（０．３７５）であること
○干渉ＰＤＳＣＨ  ＥＰＲＥ対スーパーインポーズドＰＤＳＣＨ  ＥＰＲＥの比が、１−α（０．６２５）であること
○干渉ＰＤＳＣＨが、ＱＰＳＫであること
【表１】
0006441377.tif 000014
【表２】
0006441377.tif 000015
【００８５】
さらに、特定値α（＝０．３７５）は、例示のために含まれるが、他の値α∈（０，０．５）を、さまざまな実施形態において使用することができる。
【００８６】
ＵＥは、全てのサブバンドに対してＮＯＭＡ  ＣＱＩをレポートする必要はない可能性がある。帯域幅の効率的な方法でレポートする方法の１つは、単純に、システム帯域幅全体に対してデルタＣＱＩをレポートすることである。デルタＣＱＩは、本明細書で説明するさまざまな態様に従って、差動ＮＯＭＡチャネル品質インジケータ情報の例示的符号化についての表を示す、図１２の例示的な表で示すように、４ビットの代わりに２ビットを使用して符号化することができる。
【００８７】
図１３を参照すると、さまざまな態様に従って本明細書で説明するＮＯＭＡ通信を容易にするシステム、方法、またはデバイスの１つまたは複数の態様で使用することができる、例示的ユーザ機器またはモバイル通信デバイス１３００が示される。例えば、ユーザ機器１３００は、データストアまたはメモリ１３０３に結合することができるデジタル・ベースバンド・プロセッサ１３０２、フロントエンド１３０４（例えば、ＲＦフロントエンド、音響フロントエンド、または他のフロントエンド）、および複数のアンテナ１３０６１から１３０６ｋ（ｋは、正の整数）に接続するための複数のアンテナポート１３０７を備える。アンテナ１３０６１から１３０６ｋは、無線アクセスネットワークまたはネットワークデバイスを介して生成される他の通信ネットワーク内で動作することができる、アクセスポイント、アクセスターミナル、無線ポート、およびルータなどの、１つまたは複数の無線デバイスへの、および１つまたは複数の無線デバイスからの信号を受信および送信することができる。ユーザ機器１３００は、ＲＦ信号を通信する無線周波数（ＲＦ）デバイス、音響信号を通信する音響デバイス、または他の任意の信号通信デバイスとすることができ、例えば、コンピュータ、携帯情報端末、携帯電話またはスマートフォン、タブレットＰＣ、モデム、ノートブック、ルータ、スイッチ、リピータ、ＰＣ、ネットワークデバイス、基地局、または１つまたは複数の異なる通信プロトコルまたは規格に従ってネットワークまたは他のデバイスと通信するよう動作することができる同様のデバイスとすることができる。
【００８８】
フロントエンド１３０４は、１つまたは複数の受信器または送信器１３０８を介して受信または送信された信号の処理、操作、または成形をもたらす電子部品および関連回路を備える、通信プラットフォームを含むことができ、少なくとも１つの受信器が、干渉除去コンポーネント１３０９、ｍｕｘ／ｄｅｍｕｘコンポーネント１３１２、およびｍｏｄ／ｄｅｍｏｄコンポーネント１３１４を備える。例えば、フロントエンド１３０４は、デジタル・ベースバンド・プロセッサ１３０２およびアンテナポートのセット１３０７に結合され、アンテナ１３０６１から１３０６ｋのセットは、フロントエンドの一部とすることができる。少なくとも１つの受信器１３０８は、干渉除去（ＩＣ）コンポーネント１３０９を備え、非直交多元接続（ＮＯＭＡ）通信を受信および復号化するよう構成することができる。
【００８９】
ユーザ機器１３００の（例えば、ＰＤＳＣＨを介する）データ信号が、ペア化（ｐａｉｒｅｄ）ユーザ機器のデータ信号で電力多重化されるＮＯＭＡ通信を受信する場合、ユーザ機器１３００は、高チャネル利得を伴う第１のユーザ機器（ＵＥ１）であるか（この場合、データ信号は、ペア化ユーザ機器より低い受信電力を有する）、低チャネル利得を伴う第２のユーザ機器（ＵＥ２）であるか（この場合、データ信号は、ペア化ユーザ機器より高い受信電力を有する）を指示する制御信号を受信することができる。どちらの場合も、受信器１３０８は、より高い受信電力を伴うデータ信号を復号化することができる。ユーザ機器１３００が第２のユーザ機器であると指示する制御信号に応答して、受信器１３０８は、復号化高電力データ信号をユーザ機器１３００に対する受信データ信号と判断することができる。ユーザ機器１３００が第２のユーザ機器であると指示する制御信号に応答して、干渉除去コンポーネント１３０９は、高電力データ信号を再構成し、低電力データ信号を取得するために、総受信データ信号から、その高電力データ信号を除去することができる。受信器１３０８は、低電力データ信号を復号化して、復号化された低電力データ信号をユーザ機器１３００に対する受信データ信号と判断することができる。
【００９０】
ユーザ機器１３００はまた、ユーザ機器１３００の１つまたは複数のコンポーネントを提供または制御するよう動作することができるプロセッサ１３０２またはコントローラを含むことができる。例えば、プロセッサ１３０２は、本開示の態様によれば、ユーザ機器１３００内の実質的に任意の電子部品に、少なくとも部分的に、機能を付与することができる。一例として、プロセッサは、通信がＮＯＭＡ通信であるかどうかの判断、ならびに受信器１３０８および干渉除去コンポーネント１３０９を介してＮＯＭＡ通信の復号化および干渉除去を制御する実行可能命令を、少なくとも部分的に、実行するよう構成することができる。
【００９１】
プロセッサ１３０２は、ユーザ機器１３００が、直接および逆高速フーリエ変換、変調レートの選択、データパケットフォーマットの選択、およびパケット間時間などを実施する、ｍｕｘ／ｄｅｍｕｘコンポーネント１３１２で多重／多重分離、またはｍｏｄ／ｄｅｍｏｄコンポーネント１３１４を介した変調／復調のためのデータ（例えば、シンボル、ビット、またはチップ）を処理することを可能にするよう動作することができる。メモリ１３０３は、データ構造（例えば、メタデータ）コード構造（例えば、モジュール、オブジェクト、クラス、またはプロシージャなど）もしくは命令、ポリシーおよび仕様などのネットワークもしくはデバイス情報、添付プロトコル、スクランブル、スプレッド、ならびにパイロット（例えば基準信号）伝送のためのコードシーケンス、周波数オフセット、セルＩＤ、およびＲＦ入力信号、電力出力、または発電中の他の信号コンポーネントに関連したさまざまな特性を検出および識別するための他のデータを格納することができる。
【００９２】
プロセッサ１３０２は、メモリ１３０３に（例えば、メモリバスを介して）機能的および／または通信可能に結合され、受信器１３０８および干渉除去コンポーネント１３０９を含む通信プラットフォームまたはフロントエンド１３０４、ならびにＰＡシステム９１０に、少なくとも部分的に、動作し、機能を付与するのに必要な情報を格納または検索する。図１３のコンポーネントは、ユーザ機器の状況で図示されるが、そのような図示は、ユーザ機器に限定されず、基地局（例えば、ｅＮｏｄｅＢ）、スモールセル、フェムトセル、マクロセル、およびマイクロセルなどの、他の無線通信デバイスに拡張される。
【００９３】
本明細書の例は、方法、方法の動作またはブロックを実行するための手段、機械（例えば、メモリを伴うプロセッサなど）によって実行される場合、開示される実施形態および例に従って複数の通信技術を使用する並列通信のための方法または装置もしくはシステムの動作を機械に実行させる実行可能命令を含む少なくとも１つの機械読取り可能媒体などの技術的事項を含むことができる。
【００９４】
例１は、進化型ＮｏｄｅＢ（ｅＮＢ）であり、メモリ、プロセッサ、および送信器回路を備える。メモリは、実行可能命令を格納する。プロセッサは、少なくとも、第１のＵＥと第１のＵＥよりチャネル利得が低い第２のＵＥとを備える複数のユーザ機器（ＵＥ）の直交多元接続（ＯＭＡ）メトリックおよび非直交多元接続（ＮＯＭＡ）メトリックを評価し、ＯＭＡメトリックおよびＮＯＭＡメトリックに基づいて、ＯＭＡ伝送またはＮＯＭＡ伝送を指示するプロトコル命令を生成し、第１のＵＥに対する第１の変調および符号化方式（ＭＣＳ）と第２のＵＥに対する第２のＭＣＳとを判断するための実行可能命令を実行するよう構成される。送信器回路は、プロトコル命令を受信し、それに応じて、第１のＵＥと関連付けられた第１のデータ信号および第１のダウンリンク制御情報（ＤＣＩ）メッセージ、ならびに第２のＵＥと関連付けられた第２のデータ信号および第２のＤＣＩメッセージを送信するよう構成される。ＮＯＭＡ伝送を指示するプロトコル命令に応答して、第１のデータ信号および第２のデータ信号が電力多元化され、第１のＤＣＩメッセージおよび第２のＤＣＩメッセージが、第１のデータ信号および第２のデータ信号がＮＯＭＡを介して送信されたことを示し、第１のＤＣＩメッセージが第２のＭＣＳを指示する。
【００９５】
例２は、例１の技術的事項を含み、送信器回路が複数のＵＥに送信するよう構成され、プロセッサが、実行可能命令を実行し、複数のＵＥのそれぞれに対する個々のＯＭＡメトリックおよび複数のＵＥにおけるＵＥの１つまたは複数のペアのそれぞれに対するペアワイズＮＯＭＡメトリックを判断するようさらに構成され、そのＯＭＡメトリックが、個別のＯＭＡメトリックの最良の個別のＯＭＡメトリックであり、そのＮＯＭＡメトリックが、ペアワイズＮＯＭＡメトリックの最良のペアワイズＮＯＭＡメトリックである。
【００９６】
例３は、例１から２のいずれかの技術的事項を含み、オプションの特徴を含むか、または省略し、第２のＭＣＳが振幅シフトキーイングまたは振幅変調を含むという判断に応答して、第２のデータ信号の電力スケーリング要因が、送信器回路が送信するよう構成される第２のＤＣＩメッセージまたは無線リソース制御（ＲＲＣ）信号の少なくとも一方を介して指示される。
【００９７】
例４は、例１から３のいずれかの技術的事項を含み、オプションの特徴を含むか、または省略し、プロセッサが、第２のＵＥの受信器型を判断するために実行可能命令を実行するようさらに構成され、第２のＵＥの受信器型がチャネル振幅情報を使用するよう構成されるという判断に応答して、第２のＤＣＩメッセージが、第１のデータ信号の変調次数を指示し、第２のデータ信号の電力スケーリング要因が、送信器回路が送信するよう構成される第２のＤＣＩメッセージまたは無線リソース制御（ＲＲＣ）信号の少なくとも一方を介して指示される。
【００９８】
例５は、例１から４のいずれかの技術的事項を含み、オプションの特徴を含むか、または省略し、プロセッサが、第１のＵＥの干渉除去レベルを判断するために実行可能命令を実行するようさらに構成される。
【００９９】
例６は、例５のいずれかの技術的事項を含み、オプションの特徴を含むか、または省略し、干渉除去レベルがシンボルレベルであるという判断に応答して、第１のデータ信号および第２のデータ信号が、物理的リソースブロック（ＰＲＢ）の別個のセットにスケジュールされる。
【０１００】
例７は、例５のいずれかの技術的事項を含み、オプションの特徴を含むか、または省略し、干渉除去レベルがコードワードレベルであるという判断に応答して、第１のデータ信号および第２のデータ信号が、物理的リソースブロック（ＰＲＢ）の共通セットにスケジュールされる。
【０１０１】
例８は、例１から７のいずれかの技術的事項を含み、オプションの特徴を含むか、または省略し、第１のデータ信号のＭＣＳが振幅シフトキーイングまたは振幅変調を含むという判断に応答して、第１のＤＣＩメッセージが、第１のデータ信号の電力スケーリング要因を指示する。
【０１０２】
例９は、例１の技術的事項を含み、第２のＭＣＳが振幅シフトキーイングまたは振幅変調を含むという判断に応答して、第２のデータ信号の電力スケーリング要因が、送信器回路が送信するよう構成される第２のＤＣＩメッセージまたは無線リソース制御（ＲＲＣ）信号の少なくとも一方を介して指示される。
【０１０３】
例１０は、例１の技術的事項を含み、プロセッサが、第２のＵＥの受信器型を判断するために実行可能命令を実行するようさらに構成され、第２のＵＥの受信器型がチャネル振幅情報を使用するよう構成されるという判断に応答して、第２のＤＣＩメッセージが、第１のデータ信号の変調次数を指示し、第２のデータ信号の電力スケーリング要因が、送信器回路が送信するよう構成される第２のＤＣＩメッセージまたは無線リソース制御（ＲＲＣ）信号の少なくとも一方を介して指示される。
【０１０４】
例１１は、例１の技術的事項を含み、プロセッサが、第１のＵＥの干渉除去レベルを判断するために実行可能命令を実行するようさらに構成される。
【０１０５】
例１２は、例１１の技術的事項を含み、干渉除去レベルがシンボルレベルであるという判断に応答して、第１のデータ信号および第２のデータ信号が、物理的リソースブロック（ＰＲＢ）の別個のセットにスケジュールされる。
【０１０６】
例１３は、例１１の技術的事項を含み、干渉除去レベルがコードワードレベルであるという判断に応答して、第１のデータ信号および第２のデータ信号が、物理的リソースブロック（ＰＲＢ）の共通セットにスケジュールされる。
【０１０７】
例１４は、例１の技術的事項を含み、第１のデータ信号のＭＣＳが振幅シフトキーイングまたは振幅変調を含むという判断に応答して、第１のＤＣＩメッセージが、第１のデータ信号の電力スケーリング要因を指示する。
【０１０８】
例１５は、アンテナポート、プロセッサ、および干渉除去コンポーネントを備えるユーザ機器（ＵＥ）である。アンテナポートは、少なくとも１つのアンテナに結合されるよう構成され、アンテナポートは、ダウンリンク制御情報（ＤＣＩ）を備える物理的ダウンリンク制御チャネル（ＰＤＣＣＨ）伝送を受信し、第１のデータ信号および第２のデータ信号を備える物理的ダウンリンク共有チャネル（ＰＤＳＣＨ）伝送を受信するよう構成される。プロセッサは、アンテナポートに動作可能に結合され、第２のデータ信号を復号化して、復号化された第２のデータ信号を取得するよう構成され、ＤＣＩメッセージに基づいて、ＰＤＳＣＨ伝送が、直交多元接続（ＯＭＡ）伝送であるか、非直交多元接続ＮＯＭＡ伝送であるかを判断し、ＰＤＳＣＨ伝送がＮＯＭＡ伝送であるという判断に応答して、プロセッサは、ＤＣＩメッセージが、第１の受信プロトコルか、または第１の受信プロトコルとは別の第２の受信プロトコルであるかを判断するよう構成される。干渉除去コンポーネントは、アンテナポートに動作可能に結合され、コードワードレベルまたはシンボルレベルの少なくとも一方に従って、干渉除去を使用するよう構成される。ＤＣＩメッセージが第１の受信プロトコルを指示するという判断に応答して、干渉除去コンポーネントは、干渉除去を使用して、第１のデータ信号を取得するためにＰＤＳＣＨ伝送から、復号化された第２のデータ信号を除去するよう構成され、プロセッサは、第１のデータ信号を、受信データ信号として復号化するよう構成される。ＤＣＩメッセージが第２の受信プロトコルを指示するという判断に応答して、プロセッサは、復号化された第２のデータ信号を、受信データ信号とみなすよう構成される。
【０１０９】
例１６は、例１５の技術的事項を含み、ＤＣＩメッセージが、第２のデータ信号の電力スケーリング要因を指示し、プロセッサが、第２のデータ信号の電力スケーリング要因に少なくとも部分的に基づいて、第２のデータ信号を復号化するよう構成される。
【０１１０】
例１７は、例１５から１６のいずれかの技術的事項を含み、オプションの特徴を含むか、または省略し、ＤＣＩメッセージが第１の受信プロトコルを指示するという判断に応答して、プロセッサが、ＤＣＩメッセージに基づいて、第２のデータ信号の変調次数を判断するよう構成される。
【０１１１】
例１８は、例１５から１７のいずれかの技術的事項を含み、オプションの特徴を含むか、または省略し、干渉除去コンポーネントが、シンボルレベルに従って干渉除去を使用するよう構成され、ＤＣＩメッセージが、第１のデータ信号の第１の変調および符号化方式（ＭＣＳ）および第２のデータ信号の第２のＭＣＳを指示する。
【０１１２】
例１９は、例１５から１７のいずれかの技術的事項を含み、オプションの特徴を含むか、または省略し、干渉除去コンポーネントが、コードワードレベルに従って干渉除去を使用するよう構成され、ＤＣＩメッセージが第１の受信プロトコルを指示するという判断に応答して、プロセッサが、第２のデータ信号と関連付けられた無線ネットワーク仮識別（ＲＮＴＩ）を判断するよう構成され、プロセッサが、第２のデータ信号と関連付けられたＲＮＴＩに少なくとも部分的に基づいて第２のデータ信号を復号化するよう構成される。
【０１１３】
例２０は、例１９のいずれかの技術的事項を含み、オプションの特徴を含むか、または省略し、アンテナポートが、複数のセルＲＮＴＩ（Ｃ−ＲＮＴＩ）を備える無線リソース制御（ＲＲＣ）信号を受信するようさらに構成され、プロセッサが、複数のＣ−ＲＮＴＩ間から第２のデータ信号と関連付けられたＲＮＴＩを判断するよう構成される。
【０１１４】
例２１は、例２０のいずれかの技術的事項を含み、オプションの特徴を含むか、または省略し、プロセッサが、複数のＣ−ＲＮＴＩの１つまたは複数に従って、第２のデータ信号の復号化を試み、第２のデータ信号と関連付けられたＲＮＴＩを判断するよう構成される。
【０１１５】
例２２は、例２０のいずれかの技術的事項を含み、オプションの特徴を含むか、または省略し、プロセッサが、ＤＣＩメッセージに基づいて、複数のＣ−ＲＮＴＩ間から第２のデータ信号に関連付けられたＲＮＴＩを判断するよう構成される。
【０１１６】
例２３は、例１９のいずれかの技術的事項を含み、オプションの特徴を含むか、または省略し、プロセッサが、ＤＣＩメッセージに基づいて、複数のＮＯＭＡ固有ＲＮＴＩ間から第２のデータ信号に関連付けられたＲＮＴＩを判断するよう構成される。
【０１１７】
例２４は、例１５から２３のいずれかの技術的事項を含み、オプションの特徴を含むか、または省略し、ＤＣＩメッセージが第１の受信プロトコルを指示するという判断に応答して、プロセッサが、ＮＯＭＡ伝送および復号化された第２のデータ信号の除去に基づいて、ＮＯＭＡチャネル品質インジケータ（ＣＱＩ）を判断するよう構成され、アンテナポートが、ＮＯＭＡ  ＣＱＩを送信するよう構成される。
【０１１８】
例２５は、例１５の技術的事項を含み、ＤＣＩメッセージが第１の受信プロトコルを指示するという判断に応答して、プロセッサが、ＤＣＩメッセージに基づいて、第２のデータ信号の変調次数を判断するよう構成される。
【０１１９】
例２６は、例１５の技術的事項を含み、干渉除去コンポーネントが、シンボルレベルに従って干渉除去を使用するよう構成され、ＤＣＩメッセージが、第１のデータ信号の第１の変調および符号化方式（ＭＣＳ）および第２のデータ信号の第２のＭＣＳを指示する。
【０１２０】
例２７は、例１５の技術的事項を含み、干渉除去コンポーネントが、コードワードレベルに従って干渉除去を使用するよう構成され、ＤＣＩメッセージが第１の受信プロトコルを指示するという判断に応答して、プロセッサが、第２のデータ信号と関連付けられた無線ネットワーク仮識別（ＲＮＴＩ）を判断するよう構成され、プロセッサが、第２のデータ信号と関連付けられたＲＮＴＩに少なくとも部分的に基づいて第２のデータ信号を復号化するよう構成される。
【０１２１】
例２８は、例２７の技術的事項を含み、アンテナポートが、複数のセルＲＮＴＩ（Ｃ−ＲＮＴＩ）を備える無線リソース制御（ＲＲＣ）信号を受信するようさらに構成され、プロセッサが、複数のＣ−ＲＮＴＩ間から第２のデータ信号と関連付けられたＲＮＴＩを判断するよう構成される。
【０１２２】
例２９は、例２８の技術的事項を含み、プロセッサが、複数のＣ−ＲＮＴＩの１つまたは複数に従って、第２のデータ信号の復号化を試み、第２のデータ信号と関連付けられたＲＮＴＩを判断するよう構成される。
【０１２３】
例３０は、例２８の技術的事項を含み、プロセッサが、ＤＣＩメッセージに基づいて、複数のＣ−ＲＮＴＩ間から第２のデータ信号に関連付けられたＲＮＴＩを判断するよう構成される。
【０１２４】
例３１は、例２７の技術的事項を含み、プロセッサが、ＤＣＩメッセージに基づいて、複数のＮＯＭＡ固有ＲＮＴＩ間から第２のデータ信号に関連付けられたＲＮＴＩを判断するよう構成される。
【０１２５】
例３２は、例１５の技術的事項を含み、ＤＣＩメッセージが第１の受信プロトコルを指示するという判断に応答して、プロセッサが、ＮＯＭＡ伝送および復号化された第２のデータ信号の除去に基づいて、ＮＯＭＡチャネル品質インジケータ（ＣＱＩ）を判断するよう構成され、アンテナポートが、ＮＯＭＡ  ＣＱＩを送信するよう構成される。
【０１２６】
例３３は、命令を備える非一時的機械読取り可能媒体であって、命令は、実行された場合、進化的ＮｏｄｅＢ（ｅＮＢ）に、直交多元接続（ＯＭＡ）プロトコルの投影された第１のデータスループットおよび非直交多元接続（ＮＯＭＡ）プロトコルの投影された第２のデータスループットを判断させ、投影された第１のデータスループットおよび投影された第２のデータスループットの間の比較に基づいて、ＯＭＡプロトコルまたはＮＯＭＡプロトコルを選択プロトコルとして選択させ、ＮＯＭＡプロトコルの選択に応答して、第１のＵＥに対する第１の電力割当比と、第１のＵＥより低い信号対干渉プラスノイズ比（ＳＩＮＲ）を伴う、第２のＵＥに対する、第１の電力割当比より大きい、第２の電力割当比を判断させ、物理的ダウンリンク共有チャネル（ＰＤＳＣＨ）を介して、第１の伝送モードに従って第１のＵＥと関連付けられた第１のデータ信号と、第２の伝送モードに従って第２のＵＥと関連付けられた第２のデータ信号とを送信させ、ここで、ＮＯＭＡプロトコルの選択に応答して、第１のデータ信号および第２のデータ信号が、第１の電力割当比による第１のデータ信号および第２の電力割当比による第２のデータ信号を備えるスーパーインポーズド信号として送信され、命令は、さらに、実行された場合、進化的ＮｏｄｅＢ（ｅＮＢ）に、物理的ダウンリンク制御チャネル（ＰＤＣＣＨ）を介して、第１のＵＥと関連付けられた第１のＤＣＩメッセージおよび第２のＵＥと関連付けられた第２のＤＣＩメッセージを送信させ、第１のＤＣＩメッセージおよび第２のＤＣＩメッセージが、選択プロトコルを指示する。
【０１２７】
例３４は、例３３の技術的事項を含み、第１のＤＣＩメッセージが、第２のデータ信号の変調および符号化方式（ＭＣＳ）を指示する。
【０１２８】
例３５は、例３３から３４のいずれかの技術的事項を含み、オプションの特徴を含むか、または省略し、第２のＤＣＩメッセージが、第１のデータ信号の変調および符号化方式（ＭＣＳ）を指示する。
【０１２９】
例３６は、例３３の技術的事項を含み、第２のＤＣＩメッセージが、第１のデータ信号の変調および符号化方式（ＭＣＳ）を指示する。
【０１３０】
例３７は、例３３の技術的事項を含み、送信ダイバーシティを備える第１の伝送モードに応答して、スーパーインポーズド信号が、連続サブキャリアのペアにわたって送信ダイバーシティを介して送信される。
【０１３１】
例３８は、例３３の技術的事項を含み、空間多重化を備える第１の伝送モードに応答して、スーパーインポーズド信号が、単一ビームを介して送信される。
【０１３２】
例３９は、例３３の技術的事項を含み、第１のＤＣＩメッセージが、第１の電力割当比を指示する。
【０１３３】
例４０は、例３３の技術的事項を含み、第２のＤＣＩメッセージが、第２の電力割当比を指示する。
【０１３４】
例４１は、非直交多元接続（ＮＯＭＡ）通信を容易にするシステムであり、メモリ、プロセッサ、および送信器回路を備える。メモリは、実行可能命令を格納する。プロセッサは、少なくとも、第１のＵＥと第１のＵＥよりチャネル利得が低い第２のＵＥとを備える複数のユーザ機器（ＵＥ）の直交多元接続（ＯＭＡ）メトリックおよびＮＯＭＡメトリックを評価し、ＯＭＡメトリックおよびＮＯＭＡメトリックに基づいて、ＯＭＡ伝送またはＮＯＭＡ伝送を指示するプロトコル命令を生成するための実行可能命令を実行するよう構成される。送信器回路は、プロトコル命令を受信し、それに応じて、第１のＵＥと関連付けられた第１のデータ信号および第１の制御信号、ならびに第２のＵＥと関連付けられた第２のデータ信号および第２の制御信号を送信するよう構成される。ＮＯＭＡ伝送を指示するプロトコル命令に応答して、第１のデータ信号および第２のデータ信号が電力多元化され、第１の制御信号および第２の制御信号が、第１のデータ信号および第２のデータ信号がＮＯＭＡを介して送信されたことを指示する。
【０１３５】
例４２は、例４１の技術的事項を含み、送信器回路が複数のＵＥに送信するよう構成され、プロセッサが、実行可能命令を実行し、複数のＵＥのそれぞれに対する個々のＯＭＡメトリックおよび複数のＵＥにおけるＵＥの１つまたは複数のペアのそれぞれに対するペアワイズＮＯＭＡメトリックを判断するようさらに構成され、そのＯＭＡメトリックが、個別のＯＭＡメトリックの最良の個別のＯＭＡメトリックであり、そのＮＯＭＡメトリックが、ペアワイズＮＯＭＡメトリックの最良のペアワイズＮＯＭＡメトリックである。
【０１３６】
例４３は、例４１の技術的事項を含み、プロセッサが、実行可能命令を実行して、第２のデータ信号の変調および符号化方式（ＭＣＳ）を判断するようさらに構成され、第２の制御信号が、第２のデータ信号のＭＣＳが振幅シフトキーイングまたは振幅変調を含むという判断に応答して、第２のデータ信号の電力スケーリング要因を指示する。
【０１３７】
例４４は、例４１の技術的事項を含み、プロセッサが、実行可能命令を実行して、第２のＵＥの受信器型を判断するようさらに構成され、第２の制御信号が、第２のＵＥが最大確度受信器型を備えるという判断に基づいて、第２のデータ信号の電力スケーリング要因と、第１のデータ信号の変調次数とを指示する。
【０１３８】
例４５は、例４１の技術的事項を含み、プロセッサが、第１のＵＥによって使用される干渉除去レベルを判断するために実行可能命令を実行するようさらに構成される。
【０１３９】
例４６は、例４５の技術的事項を含み、干渉除去レベルがシンボルレベルであり、第１の制御信号が、第２のデータ信号の変調次数を指示する。
【０１４０】
例４７は、例４５の技術的事項を含み、干渉除去レベルがコードワードレベルであり、第１のデータ信号および第２のデータ信号が、物理的リソースブロックの共通セットにスケジュールされる。
【０１４１】
例４８は、例４７の技術的事項を含み、プロセッサが、実行可能命令を実行して、第１のデータ信号の変調および符号化方式（ＭＣＳ）を判断するようさらに構成され、第１の制御信号が、第１のデータ信号のＭＣＳが振幅シフトキーイングまたは振幅変調を含むという判断に応答して、第１のデータ信号の電力スケーリング要因を指示する。
【０１４２】
例４９は、例４７の技術的事項を含み、プロセッサが、実行可能命令を実行して、第２のデータ信号の変調および符号化方式（ＭＣＳ）を判断するようさらに構成され、第１の制御信号が、第２のデータ信号のＭＣＳを指示する。
【０１４３】
例５０は、例４７の技術的事項を含み、プロセッサが、実行可能命令を実行して、第２のＵＥの識別子を判断するようさらに構成され、第１の制御信号が、第２のＵＥの識別子を指示する。
【０１４４】
例５１は、例５０の技術的事項を含み、第１の制御信号が、第１のＵＥで格納される複数の所定の識別子の所定の識別子を介して、第２のＵＥの識別子を指示する。
【０１４５】
例５２は、例４１の技術的事項を含み、送信器回路が、ＮＯＭＡを介して送信するために、送信ダイバーシティまたは空間多重化の少なくとも一方を使用するよう構成される。
【０１４６】
例５３は、非直交多元接続（ＮＯＭＡ）通信を容易にするシステムであり、アンテナポート、プロセッサ、および干渉除去コンポーネントを備える。アンテナポートは、少なくとも１つのアンテナに結合するよう構成され、アンテナポートは、制御信号と、第１のデータ信号および第２のデータ信号を備えるデータ伝送とを受信するよう構成される。プロセッサは、制御信号に基づいて、データ伝送が、ＯＭＡ伝送であるか、ＮＯＭＡ伝送であるかを判断するよう構成され、データ伝送がＮＯＭＡ伝送であるという判断に応答して、プロセッサは、制御信号が第１の受信プロトコルを指示するか、第１の受信プロトコルとは異なる第２の受信プロトコルを指示するかを判断するよう構成され、プロセッサは、第２のデータ信号を復号化して、復号化された第２のデータ信号を取得するよう構成される。制御信号が第１の受信プロトコルを指示するという判断に応答して、干渉除去コンポーネントは、第１のデータ信号を取得するためにデータ伝送から、復号化された第２のデータ信号を除去するよう構成され、プロセッサは、第１のデータ信号を、受信データ信号として復号化するよう構成される。制御信号が第２の受信プロトコルを指示するという判断に応答して、プロセッサは、復号化された第２のデータ信号を、受信データ信号とみなす。
【０１４７】
例５４は、例５３の技術的事項を含み、制御信号が、第２のデータ信号の電力スケーリング要因を指示し、プロセッサが、第２のデータ信号の電力スケーリング要因に少なくとも部分的に基づいて、第２のデータ信号を復号化するよう構成される。
【０１４８】
例５５は、例５３の技術的事項を含み、制御信号が第１の受信プロトコルを指示するという判断に応答して、プロセッサが、制御信号に基づいて、第２のデータ信号の変調次数を判断するよう構成される。
【０１４９】
例５６は、例５３の技術的事項を含み、干渉除去コンポーネントが、シンボルレベル干渉除去を使用するよう構成される。
【０１５０】
例５７は、例５３の技術的事項を含み、干渉除去コンポーネントが、コードワードレベル干渉除去を使用するよう構成される。
【０１５１】
例５８は、例５７の技術的事項を含み、制御信号が第１の受信プロトコルを指示するという判断に応答して、プロセッサが、制御信号に基づいて、第２のデータ信号と関連付けられたデバイス識別子を判断するよう構成される。
【０１５２】
例５９は、例５７の技術的事項を含み、プロセッサが、複数の所定のデバイス識別子に従って、第２のデータ信号を復号化する試みを介して、第２のデータ信号と関連付けられたデバイス識別子を判断するよう構成される。
【０１５３】
例６０は、例５３の技術的事項を含み、制御信号が第１の受信プロトコルを指示するという判断に応答して、プロセッサが、ＮＯＭＡ伝送および復号化された第２のデータ信号の除去に基づいて、ＮＯＭＡチャネル品質インジケータ（ＣＱＩ）を判断するよう構成され、アンテナポートが、ＮＯＭＡ  ＣＱＩを送信するよう構成される。
【０１５４】
例６１は、非直交多元接続（ＮＯＭＡ）の方法であって、第１のＵＥおよび第１のＵＥよりチャネル利得が低い第２のＵＥの識別子を備える複数のユーザ機器（ＵＥ）の直交多元接続（ＯＭＡ）メトリックおよびＮＯＭＡメトリックを評価するステップと、ＯＭＡメトリックおよびＮＯＭＡメトリックに基づいて、ＯＭＡ伝送またはＮＯＭＡ伝送を指示するプロトコル命令を生成するステップと、プロトコル命令に基づいて、第１のＵＥと関連付けられた第１のデータ信号および第１の制御信号ならびに第２のＵＥと関連付けられた第２のデータ信号および第２の制御信号を送信するステップとを備える。ＮＯＭＡ伝送を指示するプロトコル命令に応答して、第１のデータ信号および第２のデータ信号がＮＯＭＡを介して電力多元化され、第１の制御信号および第２の制御信号が、第１のデータ信号および第２のデータ信号がＮＯＭＡを介して送信されたことを指示する。
【０１５５】
例６２は、例６１の技術的事項を含み、第２の制御信号を送信するステップが、第２のデータ信号の電力スケーリング要因を指示するステップを備える。
【０１５６】
例６３は、例６１の技術的事項を含み、第１の制御信号を送信するステップが、第１のデータ信号の電力スケーリング要因を指示するステップを備える。
【０１５７】
例６４は、例６１の技術的事項を含み、第１の制御信号を送信するステップが、第２のデータ信号の変調および符号化方式（ＭＣＳ）を指示するステップを備える。
【０１５８】
例６５は、例６１の技術的事項を含み、第１の制御信号を送信するステップが、第２のＵＥの識別子を送信するステップを備える。
【０１５９】
例６６は、進化型ＮｏｄｅＢ（ｅＮＢ）であり、実行可能命令を格納する手段と、処理する手段と、送信する手段とを備える。処理する手段は、少なくとも、第１のＵＥと第１のＵＥよりチャネル利得が低い第２のＵＥとを備える複数のユーザ機器（ＵＥ）の直交多元接続（ＯＭＡ）メトリックおよび非直交多元接続（ＮＯＭＡ）メトリックを評価し、ＯＭＡメトリックおよびＮＯＭＡメトリックに基づいて、ＯＭＡ伝送またはＮＯＭＡ伝送を指示するプロトコル命令を生成し、第１のＵＥに対する第１の変調および符号化方式（ＭＣＳ）と第２のＵＥに対する第２のＭＣＳとを判断するための実行可能命令を実行するよう構成される。送信する手段は、プロトコル命令を受信し、それに応じて、第１のＵＥと関連付けられた第１のデータ信号および第１のダウンリンク制御情報（ＤＣＩ）メッセージ、ならびに第２のＵＥと関連付けられた第２のデータ信号および第２のＤＣＩメッセージを送信するよう構成される。ＮＯＭＡ伝送を指示するプロトコル命令に応答して、第１のデータ信号および第２のデータ信号が電力多元化され、第１のＤＣＩメッセージおよび第２のＤＣＩメッセージが、第１のデータ信号および第２のデータ信号がＮＯＭＡを介して送信されたことを示し、第１のＤＣＩメッセージが第２のＭＣＳを指示する。
【０１６０】
例６７は、ユーザ機器（ＵＥ）であって、受信する手段と、処理する手段と、干渉除去のための手段とを備える。受信する手段は、少なくとも１つのアンテナに結合され、ダウンリンク制御情報（ＤＣＩ）を備える物理的ダウンリンク制御チャネル（ＰＤＣＣＨ）伝送を受信し、第１のデータ信号および第２のデータ信号を備える物理的ダウンリンク共有チャネル（ＰＤＳＣＨ）伝送を受信するよう構成される。処理する手段は、アンテナポートに動作可能に結合され、第２のデータ信号を復号化して、復号化された第２のデータ信号を取得するよう構成され、ＤＣＩメッセージに基づいて、ＰＤＳＣＨ伝送が、直交多元接続（ＯＭＡ）伝送であるか、非直交多元接続ＮＯＭＡ伝送であるかを判断し、ＰＤＳＣＨ伝送がＮＯＭＡ伝送であるという判断に応答して、処理する手段は、ＤＣＩメッセージが、第１の受信プロトコルか、または第１の受信プロトコルとは別の第２の受信プロトコルであるかを判断するよう構成される。干渉除去のための手段は、アンテナポートに動作可能に結合され、コードワードレベルまたはシンボルレベルの少なくとも一方に従って、干渉除去を使用するよう構成される。ＤＣＩメッセージが第１の受信プロトコルを指示するという判断に応答して、干渉除去のための手段は、干渉除去を使用して、第１のデータ信号を取得するためにＰＤＳＣＨ伝送から、復号化された第２のデータ信号を除去するよう構成され、処理する手段は、第１のデータ信号を、受信データ信号として復号化するよう構成される。ＤＣＩメッセージが第２の受信プロトコルを指示するという判断に応答して、処理する手段は、復号化された第２のデータ信号を、受信データ信号とみなすよう構成される。
【０１６１】
要約書に記載されているものを含み、本開示の例示的な実施形態の上記説明は、包括的であることを意図せず、または開示される正確な形式に開示された実施形態について限定することを意図しない。特定の実施形態および実施例が例示目的のために本明細書に記載されているが、さまざまな変形例が可能であり、当業者が認識することができるように、そのような実施形態および実施例の範囲内であると考えられる。
【０１６２】
この点に関して、開示される発明の手段は、さまざまな実施形態および対応する図と関連して説明されるが、該当する場合、他の同様の実施形態を使用することができるか、または開示される技術的事項から逸脱することなく、開示される技術的事項の同じ、同様の、代替の、または代用の機能を実行するために、開示される実施形態に変形および追加を行うことができることが理解されよう。したがって、開示される技術的事項は、本明細書で説明する任意の単一の実施形態に限定されるべきではないが、添付の特許請求の範囲による範囲内であると解釈されるべきである。
【０１６３】
上記で開示する構成要素または構造体（組立体、デバイス、回路、システムなど）により実行されるさまざまな機能に特に関して、そのような構成要素を説明するために使用される（「手段」に対する参照を含む）用語は、本明細書で説明する例示的な実装態様において機能を実行する、開示した構造体とは構造的に同等ではなくとも、指示されない限り、（例えば、機能的に同等である）説明する構成要素の特定の機能を実行する任意の構成要素または構造体に対応することを意図する。さらに、特定の特徴が、いくつかの実装態様のただ１つに関して開示される可能性があるが、そのような特徴は、任意の所与の、または特定の用途に対して期待され、有利であるであろうように、他の実装態様の１つまたは複数の他の特徴と組み合わせてもよい。
【図１】
0006441377.tif 000016
【図２】
0006441377.tif 000017
【図３】
0006441377.tif 000018
【図４】
0006441377.tif 000019
【図５】
0006441377.tif 000020
【図６】
0006441377.tif 000021
【図７Ａ】
0006441377.tif 000022
【図７Ｂ】
0006441377.tif 000023
【図８】
0006441377.tif 000024
【図９】
0006441377.tif 000025
【図１０Ａ】
0006441377.tif 000026
【図１０Ｂ】
0006441377.tif 000027
【図１１】
0006441377.tif 000028
【図１２】
0006441377.tif 000029
【図１３】
0006441377.tif 000030